(57)【特許請求の範囲】
【請求項１】
無線リンク障害回復を管理するための方法であって、
ユーザ機器が、第１の無線アクセス技術および第２の無線アクセス技術を用いて通信を確立することと、
前記ユーザ機器が、前記第１の無線アクセス技術を介して少なくとも１つのデータフローを、および前記第２の無線アクセス技術を介して少なくとも１つのデータフローを送信することと、
前記ユーザ機器が、前記ユーザ機器と前記第１の無線アクセス技術との間の無線リンク障害を検出することと、
前記無線リンク障害が検出されたとき、前記ユーザ機器が、前記第２の無線アクセス技術を介した前記少なくとも１つのデータフローを維持すべきかどうかを決定することと、
前記少なくとも１つのデータフローを維持すべきではないと決定された場合に、前記ユーザ機器が、前記第２の無線アクセス技術を介した前記少なくとも１つのデータフローの前記送信を中断することと、
前記ユーザ機器が、前記無線リンク障害からの回復処理の完了を検出することと、
前記ユーザ機器が、前記回復処理の完了の検出に応答して、前記第２の無線アクセス技術を介した前記少なくとも１つの中断されたデータフローの前記送信を再開することと
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
方法。
【請求項２】
前記少なくとも１つのデータフローが、ベアラ、トラフィックフローテンプレート（ＴＦＴ）、伝送制御プロトコル（ＴＣＰ）接続、またはサービス品質（ＱｏＳ）クラスのうちの少なくとも１つに関連する、請求項１に記載の方法。
【請求項３】
前記ＷＷＡＮがロングタームエボリューション（ＬＴＥ）ネットワークまたはユニバーサルモバイルテレコミュニケーションシステム（ＵＭＴＳ）である、請求項２に記載の方法。
【請求項４】
前記ユーザ機器が、前記ＷＬＡＮを介した前記少なくとも１つのデータフローを維持すべきかどうかを決定することが、前記ユーザ機器が、前記ＷＬＡＮを介した前記少なくとも１つのデータフローの１つまたは複数のデータフローの前記送信を中断することを決定することを備え、前記ユーザ機器が、前記ＷＬＡＮを介した前記１つまたは複数のデータフローの前記送信を中断することをさらに備える、請求項１に記載の方法。
【請求項５】
前記ユーザ機器が、前記無線リンク障害からの前記回復処理の前記完了を検出することと、
前記回復処理の前記完了を検出したことに応答して、前記ユーザ機器が、前記ＷＬＡＮを介した前記１つまたは複数の中断されたデータフローの前記送信を再開することと
をさらに備える、請求項４に記載の方法。
【請求項６】
前記ユーザ機器が、前記無線リンク障害からの前記回復処理の前記完了を検出することと、
前記回復処理の前記完了を検出したことに応答して、前記ユーザ機器が、前記ＷＷＡＮを介した前記１つまたは複数の中断されたデータフローの前記送信を再開することと
をさらに備える、請求項４に記載の方法。
【請求項７】
前記ユーザ機器が、前記無線リンク障害からの前記回復処理の完了を検出することと、
前記ユーザ機器が、前記ＷＷＡＮを介してＲＲＣ接続再構成プロシージャを実行することと、
前記ユーザ機器が、前記ＲＲＣ接続再構成プロシージャを実行することに基づいて、前記ＷＬＡＮを介した前記１つまたは複数の中断されたデータフローの前記送信を再開することと
をさらに備える、請求項４に記載の方法。
【請求項８】
前記ユーザ機器が、前記ＷＬＡＮに関係する情報を前記ＷＷＡＮを用いて送信することをさらに備え、
ここにおいて、前記ユーザ機器が、前記ＷＷＡＮを介して前記ＲＲＣ接続再構成プロシージャを実行することが、前記ＷＬＡＮに関係する前記情報を送信することに応答する、請求項７に記載の方法。
【請求項９】
前記情報が測定報告を備える、請求項８に記載の方法。
【請求項１０】
前記情報は複数の指示を備え、前記複数の指示の各々は、前記ユーザ機器が前記無線リンク障害中に前記ＷＬＡＮを介した前記少なくとも１つのデータフローの特定の１つのための前記送信を中断したかどうかを示し、ここにおいて、前記複数の指示の各々が、前記ＷＬＡＮを介した前記少なくとも１つのデータフローの特定の１つに関連する、請求項８に記載の方法。
【請求項１１】
前記情報は複数の指示を備え、前記複数の指示の各々は、前記ユーザ機器が前記ＷＷＡＮまたは前記ＷＬＡＮを介した前記少なくとも１つのデータフローの特定の１つのための前記送信を再開すべきかどうかを示し、ここにおいて、前記複数の指示の各々が、前記ＷＬＡＮを介した前記少なくとも１つのデータフローの特定の１つに関連する、請求項８に記載の方法。
【請求項１２】
前記決定することが、前記ユーザ機器が、前記ＷＬＡＮを介した前記少なくとも１つのデータフローの前記送信を中断することを決定することを備える、請求項１に記載の方法。
【請求項１３】
前記決定することが、前記ユーザ機器において受信されたネットワーク構成、前記無線リンク障害中にＷＬＡＮデータフローを中断すべきかどうかを示すフラグを含むアクセスネットワーク発見および選択機能（ＡＮＤＳＦ）ポリシー、サービス品質（ＱｏＳ）パラメータ、または前記ユーザ機器の実装形態のうちの少なくとも１つに基づく、請求項１に記載の方法。
【請求項１４】
前記ユーザ機器が、前記無線リンク障害中に前記ＷＬＡＮを介して制御シグナリングを送信することをさらに備える、請求項１に記載の方法。
【請求項１５】
前記制御シグナリングが無線リソース制御シグナリングまたは非アクセス層シグナリングの一方または両方を備える、請求項１４に記載の方法。
【請求項１６】
前記ユーザ機器が、前記無線リンク障害中に前記ＷＬＡＮを介して制御シグナリングを受信することをさらに備える、請求項１に記載の方法。
【請求項１７】
前記制御シグナリングが無線リソース制御シグナリングまたは非アクセス層シグナリングの一方または両方を備える、請求項１６に記載の方法。
【請求項１８】
コンピュータ実行可能コードを記憶するコンピュータ可読記憶媒体であって、
ユーザ機器の少なくとも１つのコンピュータに、第１の無線アクセス技術および第２の無線アクセス技術を用いて通信を確立させるためのコードと、
前記少なくとも１つのコンピュータに、前記第１の無線アクセス技術を介して少なくとも１つのデータフローを、および前記第２の無線アクセス技術を介して少なくとも１つのデータフローを送信させるためのコードと、
前記少なくとも１つのコンピュータに、前記ユーザ機器と前記第１の無線アクセス技術との間の無線リンク障害を検出させるためのコードと、
前記少なくとも１つのコンピュータに、前記無線リンク障害が検出されたとき、前記第２の無線アクセス技術を介した前記少なくとも１つのデータフローを維持すべきかどうかを決定させるためのコードと、
前記少なくとも１つのデータフローを維持すべきではないと決定された場合に、前記少なくとも１つのコンピュータに、前記第２の無線アクセス技術を介した前記少なくとも１つのデータフローの前記送信を中断させるためのコードと、
前記少なくとも１つのコンピュータに、前記無線リンク障害からの回復処理の完了を検出させるためのコードと、
前記少なくとも１つのコンピュータに、前記回復処理の完了の検出に応答して、前記第２の無線アクセス技術を介した前記少なくとも１つの中断されたデータフローの前記送信を再開させるためのコードと
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
コンピュータ可読記憶媒体。
【請求項１９】
無線リンク障害回復を管理するためのユーザ機器であって、
第１の無線アクセス技術および第２の無線アクセス技術を用いて通信を確立するための手段と、
前記第１の無線アクセス技術を介して少なくとも１つのデータフローを、および前記第２の無線アクセス技術を介して少なくとも１つのデータフローを送信するための手段と、
ユーザ機器と前記第１の無線アクセス技術との間の無線リンク障害を検出するための手段と、
前記無線リンク障害が検出されたとき、前記第２の無線アクセス技術を介した前記少なくとも１つのデータフローを維持すべきかどうかを決定するための手段と、
前記少なくとも１つのデータフローを維持すべきではないと決定された場合に、前記第２の無線アクセス技術を介した前記少なくとも１つのデータフローの前記送信を中断するための手段と、
前記無線リンク障害からの回復処理の完了を検出するための手段と、
前記回復処理の完了の検出に応答して、前記第２の無線アクセス技術を介した前記少なくとも１つの中断されたデータフローの前記送信を再開するための手段と
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、ユーザ機器。
【請求項２０】
無線リンク障害回復を管理するためのユーザ機器であって、
第１の無線アクセス技術および第２の無線アクセス技術を用いて通信を確立するように構成されたコントローラと、
前記第１の無線アクセス技術を介して少なくとも１つのデータフローを送信するように構成されたワイヤレスワイドエリアネットワーク（ＷＷＡＮ）無線機と、
前記第２の無線アクセス技術を介して少なくとも１つのデータフローを送信するように構成されたワイヤレスローカルエリアネットワーク（ＷＬＡＮ）無線機と、
ユーザ機器と前記第１の無線アクセス技術との間の無線リンク障害を検出するように構成された無線リンク障害（ＲＬＦ）構成要素と、
前記無線リンク障害が検出されたとき、前記第２の無線アクセス技術を介した前記少なくとも１つのデータフローを維持すべきかどうかを決定するように構成されたＲＬＦデータフロー決定構成要素と
を備え、
前記ＲＬＦデータフロー決定構成要素はさらに、前記少なくとも１つのデータフローを維持すべきではないと決定された場合に、前記第２の無線アクセス技術を介した前記少なくとも１つのデータフローの前記送信を中断し、
前記無線リンク障害からの回復処理の完了を検出し、
前記回復処理の完了の検出に応答して、前記第２の無線アクセス技術を介した前記少なくとも１つの中断されたデータフローの前記送信を再開するように構成され、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、ユーザ機器。
【請求項２１】
無線リンク障害回復を管理するための方法であって、
基地局が、第１の無線アクセス技術を介してユーザ機器との第１の通信接続を確立することと、
前記基地局が、第２の無線アクセス技術を介して前記ユーザ機器との第２の通信接続が確立されるという指示を受信することと、ここにおいて、前記第２の通信接続が少なくとも１つのデータフローを送信する、
前記基地局が、前記第１の通信接続の無線リンク障害の後に、前記ユーザ機器から前記第１の通信接続の無線リンク障害回復指示を受信することと、
前記基地局が、無線リンク障害中に前記第２の無線アクセス技術を介して前記第２の通信接続上で前記少なくとも１つのデータフローが維持され得るかどうかを決定することと、
前記基地局が、前記第２の無線アクセス技術を介して前記第２の通信接続上で、データフローごとに、前記少なくとも１つのデータフローの前記送信を維持すべきかどうかを前記ユーザ機器に示すことと
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
方法。
【請求項２２】
前記確立することが、前記ユーザ機器がアイドル状態から接続状態に移動することにより、または前記ユーザ機器がハンドオーバされることにより生じる、請求項２１に記載の方法。
【請求項２３】
前記示すことが、前記基地局が、前記ユーザ機器に構成メッセージまたはデータメッセージのうちの少なくとも１つを送ることを備える、請求項２１に記載の方法。
【請求項２４】
前記構成メッセージが無線リソース制御メッセージである、請求項２３に記載の方法。
【請求項２５】
前記送ることが、前記基地局が、前記ＷＬＡＮを介して前記第２の通信接続上で前記ユーザ機器に構成メッセージまたはデータメッセージのうちの少なくとも１つを送ることを備える、請求項２３に記載の方法。
【請求項２６】
コンピュータ実行可能コードを記憶するコンピュータ可読記憶媒体であって、
基地局の少なくとも１つのコンピュータに、第１の無線アクセス技術を介してユーザ機器との第１の通信接続を確立させるためのコードと、
前記少なくとも１つのコンピュータに、第２の無線アクセス技術を介して前記ユーザ機器との第２の通信接続が確立されるという指示を受信させるためのコードと、ここにおいて、前記第２の通信接続が少なくとも１つのデータフローを送信する、
前記少なくとも１つのコンピュータに、前記第１の通信接続の無線リンク障害の後に、前記ユーザ機器から前記第１の通信接続の無線リンク障害回復指示を受信させるためのコードと、
前記少なくとも１つのコンピュータに、無線リンク障害中に前記第２の無線アクセス技術を介して前記第２の通信接続上で前記少なくとも１つのデータフローが維持され得るかどうかを決定させるためのコードと、
前記少なくとも１つのコンピュータに、前記第２の無線アクセス技術を介して前記第２の通信接続上で、データフローごとに、前記少なくとも１つのデータフローの前記送信を維持すべきかどうかを前記ユーザ機器に示させるためのコードと
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
コンピュータ可読記憶媒体。
【請求項２７】
無線リンク障害回復を管理するための装置であって、
第１の無線アクセス技術を介してユーザ機器との第１の通信接続を確立するための手段と、
第２の無線アクセス技術を介して前記ユーザ機器との第２の通信接続が確立されるという指示を受信するための手段と、ここにおいて、前記第２の通信接続が少なくとも１つのデータフローを送信する、
前記第１の通信接続の無線リンク障害の後に、前記ユーザ機器から前記第１の通信接続の無線リンク障害回復指示を受信するための手段と、
無線リンク障害中に前記第２の無線アクセス技術を介して前記第２の通信接続上で前記少なくとも１つのデータフローが維持され得るかどうかを決定するための手段と、
前記第２の無線アクセス技術を介して前記第２の通信接続上で、データフローごとに、前記少なくとも１つのデータフローの前記送信を維持すべきかどうかを前記ユーザ機器に示すための手段と
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
装置。
【請求項２８】
無線リンク障害回復を管理するための装置であって、
少なくとも１つのメモリと、
前記少なくとも１つのメモリと通信しており、
第１の無線アクセス技術を介してユーザ機器との第１の通信接続を確立することと、
第２の無線アクセス技術を介して前記ユーザ機器との第２の通信接続が確立されるという指示を受信することと、ここにおいて、前記第２の通信接続が少なくとも１つのデータフローを送信する、
前記第１の通信接続の無線リンク障害の後に、前記ユーザ機器から前記第１の通信接続の無線リンク障害回復指示を受信することと、
無線リンク障害中に前記第２の無線アクセス技術を介して前記第２の通信接続上で前記少なくとも１つのデータフローが維持され得るかどうかを決定することと、
前記第２の無線アクセス技術を介して前記第２の通信接続上で、データフローごとに、前記少なくとも１つのデータフローの前記送信を維持すべきかどうかを前記ユーザ機器に示すことと
を行うように構成された無線リンク障害（ＲＬＦ）データフロー構成要素と
を備え、
前記第１の無線アクセス技術はワイヤレスワイドエリアネットワーク（ＷＷＡＮ）に関連し、前記第２の無線アクセス技術はワイヤレスローカルエリアネットワーク（ＷＬＡＮ）に関連する、
装置。
【発明の詳細な説明】
【技術分野】
【０００１】
優先権の主張
[0001]本特許出願は、本出願の譲受人に譲渡され、参照により本明細書に明確に組み込まれる、２０１４年７月３０日に出願された、「Techniques for Managing Radio Link Failure Recovery for a User Equipment Connected to a WWAN and a WLAN」と題する、非仮出願第１４／４４７，３３１号、および２０１３年８月１６日に出願された、「Techniques for Managing Radio Link Failure Recovery for a User Equipment Connected to a WWAN and WLAN」と題する、仮出願第６１／８６６，８６２号の優先権を主張する。
【背景技術】
【０００２】
[0002]本開示の態様は、一般にワイヤレス通信に関し、より詳細には、ワイヤレスワイドエリアネットワーク（ＷＷＡＮ）とワイヤレスローカルエリアネットワーク（ＷＬＡＮ）の両方に接続されたユーザ機器（ＵＥ）のための無線リンク障害（ＲＬＦ：radio link failure）回復を管理するための技法に関する。
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができる（ｅノードＢまたはｅＮＢとも呼ばれる）いくつかの拡張ノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]現在の第３世代パートナーシッププロジェクト（３ＧＰＰ：3rd Generation Partnership Project）仕様（または規格）ファミリーに導入されている主要な拡張は、ワイヤレスワイドエリアネットワーク（ＷＷＡＮ）（たとえば、ロングタームエボリューション（ＬＴＥ(登録商標)：Long Term Evolution）またはユニバーサルモバイルテレコミュニケーションズシステム（ＵＭＴＳ：Universal Mobile Telecommunications System））とワイヤレスローカルエリアネットワーク（ＷＬＡＮ）（たとえば、Ｗｉ−Ｆｉ（登録商標））の両方とのＵＥのためのデュアル接続性である。したがって、ＵＥは、ｅノードＢとＷＬＡＮアクセスポイント（ＡＰ）の両方と通信していることがある。
【０００６】
[0006]このデュアル接続性を仮定すれば、全体的なシステム容量を改善するためにＷＬＡＮを介してデータトラフィックを送ること（たとえば、ＬＴＥからＷＬＡＮにオフロードすること）によって、ＷＷＡＮ輻輳が緩和され得る。この目的で、セルラーＲＡＮとＷＬＡＮとの間の無線アクセスネットワーク（ＲＡＮ：Radio Access Network）ベーストラフィックアグリゲーションが３ＧＰＰ（登録商標）規格ファミリーに導入されている。この手法では、（たとえば、セルラーＲＡＮが輻輳しているとき）トラフィックをＷＬＡＮにオフロードするために、または（たとえば、ＷＬＡＮ無線状態が不良になり、および／またはセルラー輻輳が減じられた場合）トラフィックをセルラーＲＡＮにステアリングする（たとえば、フォールバックする）ために、セルラーＲＡＮによってシグナリングされる無線リソースコントローラ（ＲＲＣ：Radio Resource Controller）コマンドが使用される。
【０００７】
[0007]ＵＥとＷＷＡＮアクセスノード（たとえば、ＬＴＥにおけるｅノードＢ）との間の無線周波数（ＲＦ）環境が不良になるとき、ＵＥは無線リンク障害（ＲＬＦ）に入ることがある。概して、ＬＴＥ  ＲＬＦが生じたとき、ＵＥのためのＲＲＣ接続は、ＵＥがＲＬＦから回復する（たとえば、ＲＬＦ回復処理を完了する）まで中断される。したがって、いくつかのＬＴＥシグナリング無線ベアラ（Signaling Radio Bearer）（たとえば、ＳＲＢ１）がこの時間中に利用可能でない。さらに、ＷＷＡＮのためのデータフロー（たとえば、ＬＴＥのためのデータ無線ベアラ（ＤＲＢ：data radio bearer））と呼ばれることもあるすべてのデータトラフィックが中断され、ＲＲＣ中のＷＬＡＮ報告エントリがＵＥによってクリアされる。ｅノードＢとＷＬＡＮアクセスポイントの両方と通信しているＵＥの場合、ＬＴＥとＷＬＡＮとの間の動作は無関係であるが、（１）ＷＬＡＮオフローディングおよび／またはフォールバック決定がセルラーＲＡＮによって実行され、（２）ＵＥからのＷＬＡＮ測定報告がＲＲＣメッセージを介して実行されるので、ＬＴＥ  ＲＬＦはセルラーＲＡＮベースＷＬＡＮ相互作用に対して深刻な影響を及ぼすことがある。
【０００８】
[0008]現在、３ＧＰＰ規格ファミリーの下で、ＬＴＥ  ＲＬＦ処理は、（ａ）ＲＬＦ検出、（ｂ）セル再選択、および（ｃ）ＲＲＣ接続再確立という３つの態様を含む。ただし、これらの態様のいずれも、ＬＴＥ  ＲＬＦからの回復中にＷＬＡＮデータフローをどのように処理するかに関するガイダンスを含まない。上記に鑑みて、ＵＥがＬＴＥとＷＬＡＮとの間で相互作用しているときの現在のＲＬＦ処理に関連する重要な問題および短所があり得ることが理解され得る。
【０００９】
[0009]したがって、セルラーネットワークとＷＬＡＮネットワークの両方に接続されたＵＥのためのＲＬＦ回復を管理することにおける改善が望まれる。
【発明の概要】
【００１０】
[0010]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１１】
[0011]一態様では、無線リンク障害回復を管理するための例示的な方法について説明する。本方法は、第１の無線アクセス技術および第２の無線アクセス技術を用いて通信を確立することを含み得る。さらに、本方法は、第１の無線アクセス技術を介して少なくとも１つのデータフローを、および第２の無線アクセス技術を介して少なくとも１つのデータフローを送信することを含み得る。本方法は、ユーザ機器と第１の無線アクセス技術との間の無線リンク障害を検出することをさらに含み得る。さらに、本方法は、無線リンク障害が検出されたとき、第２の無線アクセス技術を介した少なくとも１つのデータフローを維持すべきかどうかを決定することを含み得る。
【００１２】
[0012]一態様では、無線リンク障害回復を管理するためのコンピュータ可読媒体について説明する。本コンピュータ可読媒体は、少なくとも１つのコンピュータに、第１の無線アクセス技術および第２の無線アクセス技術を用いて通信を確立させ得るコンピュータ実行可能コードを記憶し得る。さらに、コードは、少なくとも１つのコンピュータに、第１の無線アクセス技術を介して少なくとも１つのデータフローを、および第２の無線アクセス技術を介して少なくとも１つのデータフローを送信させ得る。さらに、コードは、少なくとも１つのコンピュータに、ユーザ機器と第１の無線アクセス技術との間の無線リンク障害を検出させ得る。コードはさらに、少なくとも１つのコンピュータに、無線リンク障害が検出されたとき、第２の無線アクセス技術を介した少なくとも１つのデータフローを維持すべきかどうかを決定させ得る。
【００１３】
[0013]一態様では、無線リンク障害回復を管理するための例示的な装置について本開示によって説明する。本装置は、第１の無線アクセス技術および第２の無線アクセス技術を用いて通信を確立するための手段を含み得る。本装置は、第１の無線アクセス技術を介して少なくとも１つのデータフローを、および第２の無線アクセス技術を介して少なくとも１つのデータフローを送信するための手段を含み得る。本装置は、ユーザ機器と第１の無線アクセス技術との間の無線リンク障害を検出するための手段を含み得る。本装置は、無線リンク障害が検出されたとき、第２の無線アクセス技術を介した少なくとも１つのデータフローを維持すべきかどうかを決定するための手段を含み得る。
【００１４】
[0014]一態様では、無線リンク障害回復を管理するための装置について説明する。本装置は、第１の無線アクセス技術および第２の無線アクセス技術を用いて通信を確立するように構成されたコントローラを含み得る。本装置は、第１の無線アクセス技術を介して少なくとも１つのデータフローを送信するように構成されたワイヤレスワイドエリアネットワーク（ＷＷＡＮ）無線機を含み得る。本装置は、第２の無線アクセス技術を介して少なくとも１つのデータフローを送信するように構成されたワイヤレスローカルエリアネットワーク（ＷＬＡＮ）無線機を含み得る。本装置は、ユーザ機器と第１の無線アクセス技術との間の無線リンク障害を検出するように構成された無線リンク障害（ＲＬＦ）構成要素を含み得る。本装置は、無線リンク障害が検出されたとき、第２の無線アクセス技術を介した少なくとも１つのデータフローを維持すべきかどうかを決定するように構成されたＲＬＦデータフロー決定構成要素を含み得る。
【００１５】
[0015]一態様では、無線リンク障害回復を管理するための方法について説明する。本方法は、第１の無線アクセス技術を介してユーザ機器との第１の通信接続を確立することを含み得る。本方法は、第２の無線アクセス技術を介してユーザ機器との第２の通信接続が確立されるという指示を受信することを含み得る。第２の通信接続は少なくとも１つのデータフローを送信し得る。本方法は、ユーザ機器から第１の通信接続の無線リンク障害回復指示を受信することを含み得る。本方法は、無線リンク障害中に第２の無線アクセス技術を介して第２の通信接続上で少なくとも１つのデータフローが維持され得るかどうかを決定することを含み得る。本方法は、第２の無線アクセス技術を介して第２の通信接続上で、データフローごとに、少なくとも１つのデータフローの送信を維持すべきかどうかをユーザ機器に示すことを含み得る。
【００１６】
[0016]一態様では、無線リンク障害回復を管理するためのコンピュータ可読媒体について説明する。本コンピュータ可読媒体はコンピュータ実行可能コードを記憶し得る。コードは、少なくとも１つのコンピュータに、第１の無線アクセス技術を介してユーザ機器との第１の通信接続を確立させ得る。コードは、少なくとも１つのコンピュータに、第２の無線アクセス技術を介してユーザ機器との第２の通信接続が確立されるという指示を受信させ得る。第２の通信接続は少なくとも１つのデータフローを送信し得る。コードは、少なくとも１つのコンピュータに、ユーザ機器から第１の通信接続の無線リンク障害回復指示を受信させ得る。コードは、少なくとも１つのコンピュータに、無線リンク障害中に第２の無線アクセス技術を介して第２の通信接続上で少なくとも１つのデータフローが維持され得るかどうかを決定させ得る。コードは、少なくとも１つのコンピュータに、第２の無線アクセス技術を介して第２の通信接続上で、データフローごとに、少なくとも１つのデータフローの送信を維持すべきかどうかをユーザ機器に示させ得る。
【００１７】
[0017]一態様では、無線リンク障害回復を管理するための装置について説明する。本装置は、第１の無線アクセス技術を介してユーザ機器との第１の通信接続を確立するための手段を含み得る。本装置は、第２の無線アクセス技術を介してユーザ機器との第２の通信接続が確立されるという指示を受信するための手段を含み得る。第２の通信接続は少なくとも１つのデータフローを送信し得る。本装置は、ユーザ機器から第１の通信接続の無線リンク障害回復指示を受信するための手段を含み得る。本装置は、無線リンク障害中に第２の無線アクセス技術を介して第２の通信接続上で少なくとも１つのデータフローが維持され得るかどうかを決定するための手段を含み得る。本装置は、第２の無線アクセス技術を介して第２の通信接続上で、データフローごとに、少なくとも１つのデータフローの送信を維持すべきかどうかをユーザ機器に示すための手段を含み得る。
【００１８】
[0018]一態様では、無線リンク障害回復を管理するための装置について説明する。本装置は、少なくとも１つのメモリと、少なくとも１つのメモリと通信している、ＲＬＦデータフロー構成要素とを含み得る。ＲＬＦデータフロー構成要素は、第１の無線アクセス技術を介してユーザ機器との第１の通信接続を確立するように構成され得る。ＲＬＦデータフロー構成要素は、第２の無線アクセス技術を介してユーザ機器との第２の通信接続が確立されるという指示を受信するように構成され得、ここにおいて、第２の通信接続が少なくとも１つのデータフローを送信する。ＲＬＦデータフロー構成要素は、ユーザ機器から第１の通信接続の無線リンク障害回復指示を受信するように構成され得る。ＲＬＦデータフロー構成要素は、無線リンク障害中に第２の無線アクセス技術を介して第２の通信接続上で少なくとも１つのデータフローが維持され得るかどうかを決定するように構成され得る。ＲＬＦデータフロー構成要素は、第２の無線アクセス技術を介して第２の通信接続上で、データフローごとに、少なくとも１つのデータフローの送信を維持すべきかどうかをユーザ機器に示すように構成され得る。
【００１９】
[0019]一態様では、無線リンク障害回復を管理するための方法について説明する。本方法は、ユーザ機器から、第１の通信接続についての無線リンク障害回復指示を受信することを含み得る。本方法は、第２の無線アクセス技術を介してユーザ機器との第２の通信接続が確立されるという指示を受信することを含み得る。第２の通信接続は少なくとも１つのデータフローに関連し得る。本方法は、無線リンク障害回復の後に第２の無線アクセス技術を介して第２の通信接続上で少なくとも１つのデータフローが再開され得るかどうかを決定することを含み得る。本方法は、第２の無線アクセス技術を介して第２の通信接続上で少なくとも１つのデータフローの送信を再開すべきかどうかをユーザ機器に示すことを含み得る。
【００２０】
[0020]一態様では、無線リンク障害回復を管理するためのコンピュータ可読媒体について説明する。本コンピュータ可読媒体はコンピュータ実行可能コードを記憶し得る。コードは、少なくとも１つのコンピュータに、ユーザ機器から、第１の通信接続についての無線リンク障害回復指示を受信させ得る。コードは、少なくとも１つのコンピュータに、第２の無線アクセス技術を介してユーザ機器との第２の通信接続が確立されるという指示を受信させ得る。第２の通信接続は少なくとも１つのデータフローに関連し得る。コードは、少なくとも１つのコンピュータに、無線リンク障害回復の後に第２の無線アクセス技術を介して第２の通信接続上で少なくとも１つのデータフローが再開され得るかどうかを決定させ得る。コードは、少なくとも１つのコンピュータに、第２の無線アクセス技術を介して第２の通信接続上で少なくとも１つのデータフローの送信を再開すべきかどうかをユーザ機器に示させ得る。
【００２１】
[0021]一態様では、無線リンク障害回復を管理するための装置について説明する。本装置は、ユーザ機器から、第１の通信接続についての無線リンク障害回復指示を受信するための手段を含み得る。本装置は、第２の無線アクセス技術を介してユーザ機器との第２の通信接続が確立されるという指示を受信するための手段を含み得る。第２の通信接続は少なくとも１つのデータフローに関連し得る。本装置は、無線リンク障害回復の後に第２の無線アクセス技術を介して第２の通信接続上で少なくとも１つのデータフローが再開され得るかどうかを決定するための手段を含み得る。本装置は、第２の無線アクセス技術を介して第２の通信接続上で少なくとも１つのデータフローの送信を再開すべきかどうかをユーザ機器に示すための手段を含み得る。
【００２２】
[0022]一態様では、無線リンク障害回復を管理するための装置について説明する。本装置は、少なくとも１つのメモリと、少なくとも１つのメモリと通信しているＲＬＦデータフロー構成要素とを含み得る。ＲＬＦデータフロー構成要素は、ユーザ機器から、第１の通信接続についての無線リンク障害回復指示を受信するように構成され得る。ＲＬＦデータフロー構成要素は、第２の無線アクセス技術を介してユーザ機器との第２の通信接続が確立されるという指示を受信するように構成され得る。第２の通信接続は少なくとも１つのデータフローに関連し得る。ＲＬＦデータフロー構成要素は、無線リンク障害回復の後に第２の無線アクセス技術を介して第２の通信接続上で少なくとも１つのデータフローが再開され得るかどうかを決定するように構成され得る。ＲＬＦデータフロー構成要素は、第２の無線アクセス技術を介して第２の通信接続上で少なくとも１つのデータフローの送信を再開すべきかどうかをユーザ機器に示すように構成され得る。
【００２３】
[0023]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００２４】
[0024]本開示のより完全な理解を可能にするために、次に添付の図面を参照し、そこにおいて、同様の数字を用いて同様の要素が参照される。これらの図面は、本開示を限定するものとして解釈すべきではなく、例示的なものにすぎない。
【図面の簡単な説明】
【００２５】
【図１】[0025]本明細書で説明する、ユーザ機器のための無線リンク障害回復を管理するように構成された態様を有する電気通信システムの一例を概念的に示すブロック図。
【図２】[0026]本明細書で説明する、ユーザ機器のための無線リンク障害回復を管理するように構成された態様を有するワイヤレス通信システムにおけるベアラアーキテクチャの一例を概念的に示すブロック図。
【図３】[0027]本明細書で説明する、ユーザ機器のための無線リンク障害回復を管理するように構成された態様を有する例示的なｅノードＢおよび例示的なユーザ機器を概念的に示すブロック図。
【図４】[0028]本明細書で説明する、ユーザ機器のための無線リンク障害回復を管理するように構成された態様を有するユーザ機器におけるＬＴＥおよびＷＬＡＮ無線アクセス技術のアグリゲーションを概念的に示すブロック図。
【図５Ａ】[0029]本明細書で説明する、ユーザ機器のための無線リンク障害回復を管理するように構成された態様を有するパケットデータネットワーク（ＰＤＮ）とユーザ機器との間のデータ経路の例を概念的に示すブロック図。
【図５Ｂ】本明細書で説明する、ユーザ機器のための無線リンク障害回復を管理するように構成された態様を有するパケットデータネットワーク（ＰＤＮ）とユーザ機器との間のデータ経路の例を概念的に示すブロック図。
【図６】[0030]本明細書で説明する、ユーザ機器のための無線リンク障害回復を管理するように構成されたネットワークエンティティの特定の態様を概念的に示すブロック図。
【図７】[0031]本明細書で説明する、ユーザ機器のための無線リンク障害回復を管理するための第１の態様による、ユーザ機器とｅノードＢとＷＬＡＮアクセスポイントとの間の通信を示すコールフロー図。
【図８】[0032]本明細書で説明する、ユーザ機器のための無線リンク障害回復を管理するための第２の態様による、ユーザ機器とｅノードＢとＷＬＡＮアクセスポイントとの間の通信を示すコールフロー図。
【図９】[0033]本明細書で説明する、ユーザ機器のための無線リンク障害回復を管理するための第３の態様による、ユーザ機器とｅノードＢとＷＬＡＮアクセスポイントとの間の通信を示すコールフロー図。
【図１０】[0034]本明細書で説明する、ユーザ機器のための無線リンク障害回復を管理するための第４の態様による、ユーザ機器とｅノードＢとＷＬＡＮアクセスポイントとの間の通信を示すコールフロー図。
【図１１】[0035]本明細書で説明する、ユーザ機器のための無線リンク障害回復を管理するための第５の態様による、ユーザ機器とｅノードＢとＷＬＡＮアクセスポイントとの間の通信を示すコールフロー図。
【図１２】[0036]本明細書で説明する、ユーザ機器のための無線リンク障害回復を管理するための第６の態様による、ユーザ機器とｅノードＢとＷＬＡＮアクセスポイントとの間の通信を示すコールフロー図。
【図１３】[0037]本明細書で説明する、ユーザ機器によって無線リンク障害回復を管理するための方法を示すブロック図。
【図１４】[0038]本明細書で説明する、第１のｅノードＢによってユーザ機器における無線リンク障害回復を管理するための方法を示すブロック図。
【図１５】[0039]本明細書で説明する、第２のｅノードＢによってユーザ機器における無線リンク障害回復を管理するための方法を示すブロック図。
【図１６】[0040]本明細書で説明する、ユーザ機器のための無線リンク障害回復を管理するように構成された態様を有する処理システムを採用する装置のためのハードウェア実装形態の一例を示す図。
【発明を実施するための形態】
【００２６】
[0041]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２７】
[0042]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標）：Wideband CDMA）およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００２８】
[0043]本態様による、たとえば、ロングタームエボリューション（ＬＴＥ）またはユニバーサルモバイルテレコミュニケーションズシステム（ＵＭＴＳ）など、ワイヤレスワイドエリアネットワーク（ＷＷＡＮ）と、ワイヤレスローカルエリアネットワーク（たとえば、Ｗｉ−Ｆｉネットワーク）との両方に接続されたユーザ機器（ＵＥ）における無線リンク障害（ＲＬＦ）回復を管理するための新しい技法を与える装置および方法が提示される。より詳細には、ＲＬＦ検出および回復プロセス全体にわたってＷＬＡＮデータフローを処理するための様々な態様について説明する。
【００２９】
[0044]表１に、ＲＬＦ回復中にデータフローを管理するための本明細書で説明する技法の様々な態様を要約する。ＲＬＦ挙動に関して、すべての態様では、（データ無線ベアラ（ＤＲＢ）と呼ばれることもある）ＷＷＡＮ（たとえば、ＬＴＥ）データフローが中断または停止される。態様のうちのいくつか（たとえば、第２および第３の態様）は、セルラー（たとえば、ＬＴＥ）データフローとＷＬＡＮデータフローの両方を中断することを含む。さらに、いくつかの態様（たとえば、第１、第４、および第５の態様）は、セルラー（たとえば、ＬＴＥ）データフローとともに、ＷＬＡＮデータフローを随意に中断することを含む。第６の態様は、セルラー（たとえば、ＬＴＥ）データフローのみを中断することを含む。さらに、表１に、各態様についてのＲＬＦ回復に関連するアクションを要約する。
【００３０】
【表１】
0006522612.tif 000002
【００３１】
[0045]データフローは、たとえば、ＵＥとｅノードＢ、あるいはＵＥとＷＬＡＮアクセスポイント（ＡＰ）など、２つのネットワークエンティティ間のデータの任意の送信に対応し得る。データフローは、たとえば、データトラフィック、トラフィック、および／またはデータ経路と呼ばれることもある。ＷＷＡＮデータフローは、たとえば、ベアラ、トラフィックフローテンプレート（ＴＦＴ）、伝送制御プロトコル（ＴＣＰ）接続、および／またはサービス品質（ＱｏＳ）クラスを含むか、またはそれらに関連し得る。ＷＬＡＮデータフローは、たとえば、送信要求（ＲＴＳ）、送信可（ＣＴＳ）、他のシグナリング、および／またはユーザデータを含むか、またはそれらに関連し得る。
【００３２】
[0046]本明細書で説明する様々な態様について、ＵＥがそれに通信しているＷＷＡＮの一例としてＬＴＥに関して説明することがある。しかしながら、本態様のうちの少なくともいくつかは、ＵＭＴＳ、および／または他の無線アクセス技術（ＲＡＴ）を含む、他のＷＷＡＮに適用され得ることを理解されよう。
【００３３】
[0047]図１は、本態様による、ＷＷＡＮ（たとえば、ＬＴＥ）無線リンク障害（ＲＬＦ）を管理するように構成された、それの中に含まれる態様を有する電気通信システム１００の一例を概念的に示すブロック図である。たとえば、電気通信システム１００は、ＬＴＥネットワークまたはＵＭＴＳネットワークであり得る。電気通信システム１００は、いくつかの発展型ノードＢ（ｅノードＢ）１１０と、ユーザ機器（ＵＥ）１２０と、他のネットワークエンティティとを含み得る。ｅノードＢ１１０は、ＷＷＡＮへのアクセスを与えるためにＵＥ１２０と通信する局であり得、基地局、アクセスポイントなどと呼ばれることもある。ノードＢは、ＵＥ１２０と通信する局の別の例である。図示されていないが、１つまたは複数のＷＬＡＮ（またはＷｉ−Ｆｉ）ＡＰも、ワイヤレスローカルエリアネットワーク（ＷＬＡＮ）または何らかの他のタイプのローカルエリアネットワーク（ＬＡＮ）へのアクセスを与えるためにＵＥ１２０と通信していることがある。
【００３４】
[0048]各ｅノードＢ１１０は、特定の地理的エリアに通信カバレージを与え得る。３ＧＰＰでは、「セル」という用語は、この用語が使用されるコンテキストに応じて、ｅノードＢ１１０のカバレージエリアおよび／またはこのカバレージエリアをサービスしているｅノードＢサブシステムを指すことがある。
【００３５】
[0049]ｅノード１１０は、マクロセル、ピコセル、フェムトセル、および／または他のタイプのセルに通信カバレージを与え得る。マクロセルは、比較的大きい地理的エリア（たとえば、半径数マイルまたはキロメートル）をカバーし得、マクロセルに関連するワイヤレスサービスへのサブスクリプションを有するＵＥ１２０による無制限アクセスを可能にし得る。ピコセルは、比較的小さい地理的エリアをカバーし得、サービスサブスクリプションを有するＵＥ１２０による無制限のアクセスを可能にし得る。フェムトセルは、比較的小さい地理的エリア（たとえば、自宅）をカバーし得、フェムトセルとの関連を有するＵＥ１２０による制限付きアクセスを可能にし得る（たとえば、ＵＥ１２０は、たとえば、自宅またはオフィスなど、ＵＥ１２０のうちの１つのユーザの１次ロケーション中のＵＥ１２０のうちの１つによる使用のためにセットアップされる限定加入者グループ（ＣＳＧ：Closed Subscriber Group）にサブスクライブされ得る）。マクロセルのためのｅノードＢ１１０はマクロｅノードＢと呼ばれることがある。ピコセルのためのｅノードＢ１１０はピコｅノードＢと呼ばれることがある。フェムトセルのためのｅノードＢ１１０はフェムトｅノードＢまたはホームｅノードＢと呼ばれることがある。
【００３６】
[0050]図１に示された例では、ｅノードＢ１１０ａ、１１０ｂ、および１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢ１１０は、１つまたは複数（たとえば、３つ）のセルに通信カバレージを与え得る。
【００３７】
[0051]電気通信システム１００は、リレーｅノードＢ、リレーなどと呼ばれることもある、１つまたは複数の中継局１１０ｒおよび１２０ｒを含み得る。中継局１１０ｒは、上流局（たとえば、ｅノードＢ１１０またはＵＥ１２０）からデータおよび／または他の情報の送信を受信し、データおよび／または他の情報の受信された送信を下流局（たとえば、ＵＥ１２０またはｅノードＢ１１０）に送る局であり得る。中継局１２０ｒは、他のＵＥ（図示せず）に対する送信を中継するＵＥであり得る。図１に示された例では、中継局１１０ｒは、ｅノードＢ１１０ａとＵＥ１２０ｒとの間の通信を可能にするために、ｅノードＢ１１０ａおよびＵＥ１２０ｒと通信し得る。
【００３８】
[0052]電気通信システム１００は、異なるタイプのｅノードＢ１１０、たとえば、マクロｅノードＢ１１０ａ、１１０ｂ、および１１０ｃ、ピコｅノードＢ１１０ｘ、フェムトｅノードＢ１１０ｙおよび１１０ｚ、中継局１１０ｒなどを含む異種ネットワークであり得る。これらの異なるタイプのｅノードＢ１１０は、電気通信システム１００において異なる送信電力レベル、異なるカバレージエリア、および干渉に対する異なる影響を有し得る。たとえば、マクロｅノードＢ１１０ａ、１１０ｂ、および／または１１０ｃは、高い送信電力レベル（たとえば、２０ワット）を有し得るが、ピコｅノードＢ１１０ｘ、フェムトｅノードＢ１１０ｙおよび１１０ｚならびに／あるいは中継局１１０ｒは、より低い送信電力レベル（たとえば、１ワット）を有し得る。
【００３９】
[0053]電気通信システム１００は同期動作または非同期動作をサポートし得る。同期動作の場合、ｅノードＢ１１０は同様のフレームタイミングを有し得、異なるｅノードＢ１１０からの送信は近似的に時間的に整合され得る。非同期動作の場合、ｅノードＢ１１０は異なるフレームタイミングを有し得、異なるｅノードＢ１１０からの送信は時間的に整合されないことがある。本明細書で説明する技法は、同期動作と非同期動作の両方のために使用され得る。
【００４０】
[0054]ネットワークコントローラ１３０は、ｅノードＢ１１０のセットに結合され、ｅノードＢ１１０の協調および制御を行い得る。ネットワークコントローラ１３０は、バックホール（図示せず）を介してｅノードＢ１１０と通信し得る。ｅノードＢ１１０はまた、たとえば、ワイヤレスまたはワイヤラインバックホール（たとえば、Ｘ２インターフェース）（図示せず）を介して直接または間接的に、互いに通信し得る。電気通信システム１００がｅノードＢと１つまたは複数のＷＬＡＮ  ＡＰとを含む一態様では、これらの２つのタイプのアクセスノードはバックホールを介して互いに接続されることも接続されないこともある。しかしながら、ｅノードＢとＷＬＡＮ  ＡＰとがバックホールを介して接続されていない場合、ｅノードＢおよびＷＬＡＮ  ＡＰは、たとえば、ＵＥ１２０のうちの１つなどの媒介を通して互いに通信し得る。
【００４１】
[0055]ＵＥ１２０は、電気通信システム１００全体にわたって分散され得、各ＵＥ１２０は固定または移動であり得る。ＵＥ１２０は、端末、移動局、加入者ユニット、局などと呼ばれることもある。一例では、ＵＥ１２０の各々は、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥ１２０は、マクロｅノードＢ１１０ａ、１１０ｂ、および１１０ｃ、ピコｅノードＢ１１０ｘ、フェムトｅノードＢ１１０ｙおよび１１０ｚ、中継局１１０ｒ、ならびに／あるいは他のネットワークエンティティと通信することが可能であり得る。たとえば、図１において、両矢印付きの実線は、ダウンリンクおよび／またはアップリンク上での、特定のＵＥ１２０と、特定のＵＥ１２０をサービスするように指定されたｅノードＢ１１０であるそれのサービングｅノードＢ１１０との間の所望の送信を示し得る。両矢印付きの破線は、特定のＵＥ１２０とｅノードＢ１１０（たとえば、非サービングｅノードＢ）との間の干渉送信を示し得る。
【００４２】
[0056]ＬＴＥ電気通信ネットワークは、ダウンリンク上で直交周波数分割多重（ＯＦＤＭ）を利用し、アップリンク上でシングルキャリア周波数分割多重（ＳＣ−ＦＤＭ）を利用し得る。ＯＦＤＭおよびＳＣ−ＦＤＭは、システム帯域幅を、一般にトーン、ビンなどとも呼ばれる複数（Ｋ）個の直交サブキャリアに区分し得る。各サブキャリアはデータで変調され得る。概して、変調シンボルは、ＯＦＤＭでは周波数領域で、ＳＣ−ＦＤＭでは時間領域で送られ得る。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称高速フーリエ変換（ＦＦＴ）サイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はサブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００４３】
[0057]図２は、本態様による、ＷＷＡＮ（たとえば、ＬＴＥ）ＲＬＦを管理するように構成された態様を有するワイヤレス通信システム２００におけるベアラ（たとえば、データフロー）アーキテクチャの一例を概念的に示すブロック図である。ベアラアーキテクチャは、図１のＵＥ１２０のうちの１つであり得るＵＥ２１５と、ネットワークを介してアドレス可能なピアエンティティ２３０との間のエンドツーエンドサービス２３５を与えるために使用され得る。ピアエンティティ２３０は、サーバ、別のＵＥ、または別のタイプのネットワークアドレス可能デバイスであり得る。エンドツーエンドサービス２３５は、エンドツーエンドサービス２３５に関連する特性（たとえば、サービス品質（ＱｏＳ））のセットに従って、ＵＥ２１５とピアエンティティ２３０との間でデータを転送し得る。エンドツーエンドサービス２３５は、少なくとも、ＵＥ２１５、ｅノードＢ２０５（たとえば、図１のｅノードＢ１１０のうちの１つ）、サービングゲートウェイ（ＳＧＷ：serving gateway）２２０、パケットデータネットワーク（ＰＤＮ）ゲートウェイ（ＰＧＷ：PDN gateway）２２５、およびピアエンティティ２３０によって実装され得る。ＵＥ２１５およびｅノードＢ２０５は、ＬＴＥ／ＬＴＥ−Ａシステムのエアインターフェースである発展型ＵＭＴＳ地上波無線アクセスネットワーク（Ｅ−ＵＴＲＡＮ：evolved UMTS terrestrial radio access network）２０８の構成要素であり得る。サービングゲートウェイ２２０およびＰＤＮゲートウェイ２２５は、ＬＴＥ／ＬＴＥ−Ａシステムのコアネットワークアーキテクチャである発展型パケットコア（ＥＰＣ：evolved Packet Core）２０９の構成要素であり得る。ピアエンティティ２３０は、ＰＤＮゲートウェイ２２５に通信可能に結合されたＰＤＮ２１０上のアドレス可能ノードであり得る。
【００４４】
[0058]エンドツーエンドサービス２３５は、ＵＥ２１５とＰＤＮゲートウェイ２２５との間の発展型パケットシステム（ＥＰＳ：evolved packet system）ベアラ２４０によって、およびＳＧｉインターフェースを介したＰＤＮゲートウェイ２２５とピアエンティティ２３０との間の外部ベアラ２４５によって実装され得る。ＳＧｉインターフェースは、ＵＥ２１５のインターネットプロトコル（ＩＰ）または他のネットワークレイヤアドレスをＰＤＮ２１０に公開し得る。
【００４５】
[0059]ＥＰＳベアラ２４０は、特定のＱｏＳに対して定義されたエンドツーエンドトンネルであり得る。各ＥＰＳベアラ２４０は、複数のパラメータ、たとえば、ＱｏＳクラス識別子（ＱＣＩ：QoS class identifier）、割振りおよび保持優先度（ＡＲＰ：allocation and retention priority）、保証ビットレート（ＧＢＲ：guaranteed bit rate）、およびアグリゲート最大ビットレート（ＡＭＢＲ：aggregate maximum bit rate）に関連し得る。ＱＣＩは、レイテンシ、パケットロス、ＧＢＲ、および優先度に関して、あらかじめ定義されたパケット転送処理に関連するＱｏＳクラスを示す整数であり得る。いくつかの例では、ＱＣＩは１から９までの整数であり得る。さらに、ＡＲＰは、同じリソースのための２つの異なるベアラ間の競合の場合、プリエンプション優先度を与えるためにｅノードＢ２０５のスケジューラによって使用され得る。ＧＢＲは、別個のダウンリンク保証ビットレートとアップリンク保証ビットレートとを指定し得る。いくつかのＱｏＳクラスは、それらのクラスのベアラに対して保証ビットレートが定義されないような非ＧＢＲであり得る。
【００４６】
[0060]ＥＰＳベアラ２４０は、ＵＥ２１５とサービングゲートウェイ２２０との間のＥ−ＵＴＲＡＮ無線アクセスベアラ（Ｅ−ＲＡＢ：E-UTRAN radio access bearer）２５０、およびＳ５またはＳ８インターフェースを介したサービングゲートウェイ２２０とＰＤＮゲートウェイとの間のＳ５／Ｓ８ベアラ２５５によって実装され得る。Ｓ５は、非ローミングシナリオにおけるサービングゲートウェイ２２０とＰＤＮゲートウェイ２２５との間のシグナリングインターフェースを指し、Ｓ８は、ローミングシナリオにおけるサービングゲートウェイ２２０とＰＤＮゲートウェイ２２５との間の類似するシグナリングインターフェースを指す。Ｅ−ＲＡＢ２５０は、ＬＴＥ−Ｕｕエアインターフェースを介したＵＥ２１５とｅノードＢ２０５との間の無線ベアラ２６０によって、およびＳ１インターフェースを介してｅノードＢとサービングゲートウェイ２２０との間のＳ１ベアラ２６５によって実装され得る。
【００４７】
[0061]図２は、ＵＥ２１５とピアエンティティ２３０との間のエンドツーエンドサービス２３５の一例のコンテキストにおけるベアラ階層を示しているが、いくつかのベアラは、エンドツーエンドサービス２３５に関係しないデータを搬送するために使用され得ることを理解されよう。たとえば、無線ベアラ２６０または他のタイプのベアラは、２つ以上のエンティティ間でエンドツーエンドサービス２３５のデータに関係しない制御データを送信するために確立され得る。
【００４８】
[0062]上記で説明したように、いくつかの構成では、図２のワイヤレス通信システム２００など、システムは、セルラー（たとえば、ＬＴＥ）およびＷＬＡＮ（たとえば、Ｗｉ−Ｆｉ）の相互作用を含み得る。したがって、１つまたは複数のＥＰＳベアラ２４０に関係するデータ（たとえば、セルラーまたはＬＴＥデータ）が、ｅノードＢ２０５からＷＬＡＮ  ＡＰ（図示せず）にオフロードされ得、それによって、代替経路を介してベアラトラフィックをＥＰＣ２１２からＰＤＮ２１０にそらす。ＷＬＡＮ  ＡＰを介したＥＰＣ２１２からＰＤＮ２１０へのＬＴＥデータのオフローディングおよび／またはフォールバックに関係する追加の態様について、図５Ａおよび図５Ｂに関して説明する。
【００４９】
[0063]ベアラがデータフローと呼ばれることもあることを理解されよう。「ベアラ」という用語は、通常、ＬＴＥ（または他のＷＷＡＮ）データフロー（たとえば、データ無線ベアラまたはＤＲＢ）について説明するために使用され、たとえば、ＷＬＡＮ（またはＷｉ−Ｆｉ）など、他の無線アクセス技術（ＲＡＴ）のためのデータフローは「ベアラ」と呼ばれる可能性が低く、むしろ、「データフロー」というより総称的な用語が使用される。
【００５０】
[0064]図３は、本態様による、ＷＷＡＮ（たとえば、ＬＴＥ）ＲＬＦを管理するように構成された態様を有する、例示的なｅノードＢ３１０（たとえば、図１のｅノードＢ１１０および／または図２のｅノードＢ２０５のうちの１つ）と、例示的なＵＥ３２０（たとえば、図１のＵＥ１２０および／または図２のＵＥ２１５のうちの１つ）とを概念的に示すブロック図である。
【００５１】
[0065]ｅノードＢ３１０はアンテナ３３４1〜tを装備し得、ＵＥ３２０はアンテナ３５２1〜rを装備し得、ここにおいて、ｔおよびｒは１以上の整数である。ｅノードＢ３１０において、基地局送信プロセッサ３２２は、基地局データソース３１２からデータを受信し、基地局コントローラ３４０から制御情報を受信し得る。一態様では、基地局コントローラ３４０は、プロセッサを備え得、したがって、基地局プロセッサ３４０または基地局コントローラ／プロセッサ３４０と呼ばれることもある。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。基地局送信プロセッサ３２２は、それぞれデータシンボルと制御シンボルとを取得するためにデータおよび制御情報を処理（たとえば、符号化およびシンボルマッピング）し得る。基地局送信プロセッサ３２２はまた、たとえば、ＰＳＳ、ＳＳＳ、およびセル固有基準信号（ＲＳ：reference signal）のための基準シンボルを生成し得る。基地局送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを基地局変調器／復調器（ＭＯＤ／ＤＥＭＯＤ）３３２1〜tに与え得る。各基地局変調器／復調器３３２は、出力サンプルストリームを取得するために、（たとえば、ＯＦＤＭなどのために）それぞれの出力シンボルストリームを処理し得る。各基地局変調器／復調器３３２はさらに、ダウンリンク信号を取得するために、出力サンプルストリームを処理（たとえば、アナログへの変換、増幅、フィルタ処理、およびアップコンバート）し得る。変調器／復調器３３２1〜tからのダウンリンク信号は、それぞれアンテナ３３４1〜tを介して送信され得る。
【００５２】
[0066]ＵＥ３２０において、ＵＥアンテナ３５２1〜rは、ｅノードＢ３１０からダウンリンク信号を受信し得、受信信号をそれぞれＵＥ変調器／復調器（ＭＯＤ／ＤＥＭＯＤ）３５４1〜rに与え得る。各ＵＥ変調器／復調器３５４は、入力サンプルを取得するために、それぞれの受信信号を調整（たとえば、フィルタ処理、増幅、ダウンコンバート、およびデジタル化）し得る。各ＵＥ変調器／復調器３５４はさらに、受信シンボルを取得するために、（たとえば、ＯＦＤＭなどのために）入力サンプルを処理し得る。ＵＥ  ＭＩＭＯ検出器３５６は、すべてのＵＥ変調器／復調器３５４1〜rから受信シンボルを取得し、適用可能な場合は受信シンボルに対してＭＩＭＯ検出を実行し、検出シンボルを与え得る。ＵＥ受信プロセッサ３５８は、検出シンボルを処理（たとえば、復調、デインターリーブ、および復号）し、ＵＥ３２０の復号されたデータをＵＥデータシンク３６０に与え、復号された制御情報をＵＥコントローラ３８０に与え得る。一態様では、ＵＥコントローラ３８０は、プロセッサを備え得、したがって、ＵＥプロセッサ３８０またはＵＥコントローラ／プロセッサ３８０と呼ばれることもある。
【００５３】
[0067]アップリンク上では、ＵＥ３２０において、ＵＥ送信プロセッサ３６４は、ＵＥデータソース３６２から（たとえば、ＰＵＳＣＨのための）データを受信し、処理し得、ＵＥコントローラ３８０から（たとえば、ＰＵＣＣＨのための）制御情報を受信し、処理し得る。ＵＥ送信プロセッサ３６４はまた、基準信号のための基準シンボルを生成し得る。ＵＥ送信プロセッサ３６４からのシンボルは、適用可能な場合はＵＥ  ＴＸ  ＭＩＭＯプロセッサ３６６によってプリコーディングされ、さらに（たとえば、ＳＣ−ＦＤＭなどのために）ＵＥ変調器／復調器３５４1〜rによって処理され、ｅノードＢ３１０に送信され得る。ｅノードＢ３１０において、ＵＥ３２０からのアップリンク信号は、基地局アンテナ３３４によって受信され、基地局変調器／復調器３３２によって処理され、適用可能な場合は基地局ＭＩＭＯ検出器３３６によって検出され、さらに基地局受信プロセッサ３３８によって処理されて、ＵＥ３２０によって送られた復号されたデータと制御情報とが取得され得る。基地局受信プロセッサ３３８は、復号されたデータを基地局データシンク３４６に与え、復号された制御情報を基地局コントローラ３４０に与え得る。
【００５４】
[0068]基地局コントローラ３４０およびＵＥコントローラ３８０は、それぞれｅノードＢ３１０およびＵＥ３２０における動作を指示し得る。ｅノードＢ３１０における基地局コントローラ３４０および／または他のプロセッサおよびモジュールは、たとえば、本明細書で説明する技法のための様々なプロセスを実行するか、またはその実行を指示し得る。ＵＥ３２０におけるＵＥコントローラ３８０および／または他のプロセッサおよびモジュールはまた、図６に示された機能ブロック、および／またはセルラーネットワークとＷＬＡＮ（またはＷｉ−Ｆｉ）ネットワークの両方と通信しているＵＥのためのＲＬＦ回復を管理するための本明細書で説明する技法のための他のプロセスを実行するか、またはその実行を指示するように構成され得る。基地局メモリ３４２およびＵＥメモリ３８２は、それぞれｅノードＢ３１０およびＵＥ３２０のためのデータおよびプログラムコードを記憶し得る。スケジューラ３４４は、ダウンリンク上および／またはアップリンク上でのデータ送信のためにＵＥ３２０をスケジュールし得る。
【００５５】
[0069]一構成では、ＵＥ３２０は、第１の無線アクセス技術（ＲＡＴ）および第２のＲＡＴを用いて通信を確立するための手段と、第１のＲＡＴを介して少なくとも１つのデータフローを、および第２のＲＡＴを介して少なくとも１つのデータフローを送信するための手段と、ユーザ機器と第１のＲＡＴとの間の無線リンク障害を検出するための手段と、無線リンク障害が検出されたとき、第２のＲＡＴを介した少なくとも１つのデータフローを維持すべきかどうかを決定するための手段とを含み得る。一態様では、上述の手段は、上述の手段によって具陳される機能を実行するように構成された、ＵＥコントローラ３８０、ＵＥメモリ３８２、ＵＥ受信プロセッサ３５８、ＵＥ  ＭＩＭＯ検出器３５６、ＵＥ変調器／復調器３５４、およびＵＥアンテナ３５２であり得る。別の態様では、上述の手段は、上述の手段によって具陳される機能を実行するように構成されたモジュール、構成要素、または任意の装置であり得る。
【００５６】
[0070]一構成では、ｅノードＢ３１０は、第１のＲＡＴを介してユーザ機器との第１の通信接続を確立するための手段と、第２のＲＡＴを介してユーザ機器との第２の通信接続が確立されるという指示を受信するための手段と、ここにおいて、第２の通信接続が少なくとも１つのデータフローを送信する、ユーザ機器（たとえば、ＵＥ３２０）から第１の通信接続の無線リンク障害回復指示を受信するための手段と、ここにおいて、ユーザ機器とローカルエリアネットワークとの間およびユーザ機器とＷＷＡＮとの間の通信接続が確立されている、無線リンク障害中に第２のＲＡＴを介して第２の通信接続上で少なくとも１つのデータフローが維持され得るかどうかを決定するための手段と、第２のＲＡＴを介して第２の通信接続上で、データフローごとに、少なくとも１つのデータフローの送信を維持すべきかどうかをユーザ機器に示すための手段とを含み得る。別の構成では、ｅノードＢ３１０は、たとえば、ＵＥ３２０から、第１の通信接続についての無線リンク障害回復指示を受信するための手段と、第２のＲＡＴを介してユーザ機器との第２の通信接続が確立されるという指示を受信するための手段と、ここにおいて、第２の通信接続が少なくとも１つのデータフローに関連する、無線リンク障害回復の後に第２のＲＡＴを介して第２の通信接続上で少なくとも１つのデータフローが再開され得るかどうかを決定するための手段と、第２のＲＡＴを介して第２の通信接続上で少なくとも１つのデータフローの送信を再開すべきかどうかをユーザ機器に示すための手段とを含み得る。一態様では、上述の手段は、上述の手段によって具陳される機能を実行するように構成された、基地局コントローラ３４０、基地局メモリ３４２、基地局送信プロセッサ３２２、基地局変調器／復調器３３２、および基地局アンテナ３３４であり得る。別の態様では、上述の手段は、上述の手段によって具陳される機能を実行するように構成されたモジュール、構成要素、または任意の装置であり得る。
【００５７】
[0071]図４は、本態様による、ＵＥ４１５、ｅノードＢ４０５−ａ、および／またはＷＬＡＮ  ＡＰ  ４０５−ｂが、ＷＷＡＮ（たとえば、ＬＴＥ）ＲＬＦ回復を管理するように構成された態様を有する、ＵＥ４１５におけるＬＴＥ無線アクセス技術（ＲＡＴ）とＷＬＡＮ  ＲＡＴとのキャリアアグリゲーションを概念的に示すブロック図である。アグリゲーションは、１つまたは複数のコンポーネントキャリア１〜Ｎ（ＣＣ1〜ＣＣN）を使用してｅノードＢ４０５−ａと通信し、ＷＬＡＮキャリア４４０を使用してＷＬＡＮ（またはＷｉ−Ｆｉ）ＡＰ４０５−ｂと通信することができる、マルチモードＵＥ４１５を含むシステム４００中で行われ得る。ＵＥ４１５は、図１のＵＥ１２０、図２のＵＥ２１５、および図３のＵＥ３２０のうちの１つまたは複数の一例であり得る。ｅノードＢ４０５−ａは、図１のｅノードＢ１１０、図２のｅノードＢ２０５、および図３のｅノードＢ３１０のうちの１つまたは複数の一例であり得る。図４には、１つのＵＥ４１５、１つのｅノードＢ４０５−ａ、および１つのＷＬＡＮ  ＡＰ４０５−ｂのみが示されているが、システム４００は、任意の数のＵＥ４１５、ｅノードＢ４０５−ａ、および／またはＷＬＡＮ  ＡＰ４０５−ｂを含むことができることを諒解されたい。
【００５８】
[0072]ｅノードＢ４０５−ａは、ＬＴＥコンポーネントキャリアＣＣ1〜ＣＣN４３０上の順方向（ダウンリンク）チャネル４３２−１〜４３２−Ｎを介してＵＥ４１５に情報を送信することができる。さらに、ＵＥ４１５は、ＬＴＥコンポーネントキャリアＣＣ1〜ＣＣN上の逆方向（アップリンク）チャネル４３４−１〜４３４−Ｎを介してｅノードＢ４０５−ａに情報を送信することができる。同様に、ＷＬＡＮ  ＡＰ４０５−ｂは、ＷＬＡＮキャリア４４０上の順方向（ダウンリンク）チャネル４５２を介してＵＥ４１５に情報を送信し得る。さらに、ＵＥ４１５は、ＷＬＡＮキャリア４４０の逆方向（アップリンク）チャネル４５４を介してＷＬＡＮ  ＡＰ４０５−ｂに情報を送信し得る。
【００５９】
[0073]図４の様々なエンティティについて説明する際、説明の目的で、３ＧＰＰ  ＬＴＥまたはＬＴＥ−Ａワイヤレスネットワークに関連する名称が使用される。ただし、システム４００は、限定はしないが、ＵＭＴＳネットワーク、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００６０】
[0074]マルチキャリア動作中、異なるＵＥ４１５に関連するダウンリンク制御情報（ＤＣＩ：downlink control information）メッセージは、複数のコンポーネントキャリア上で搬送され得る。たとえば、ＰＤＣＣＨ上のＤＣＩは、ＰＤＳＣＨ送信のためにＵＥ４１５によって使用されるように構成された同じコンポーネントキャリア上に含まれ得る（たとえば、同一キャリアシグナリング）。代替または追加として、ＤＣＩは、ＰＤＳＣＨ送信のために使用されるターゲットコンポーネントキャリアとは異なるコンポーネントキャリア上で搬送され得る（たとえば、クロスキャリアシグナリング）。いくつかの実施形態では、半静的に有効化され得るキャリアインジケータフィールド（ＣＩＦ：carrier indicator field）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（たとえば、クロスキャリアシグナリング）。
【００６１】
[0075]本例では、ＵＥ４１５は１つのｅノードＢ４０５−ａからデータを受信し得る。しかしながら、セルエッジ上のユーザは、データレートを制限し得る高いセル間干渉を経験することがある。マルチフローが、ＵＥが同時に２つのｅノードＢ４０５−ａからデータを受信することを可能にする。マルチフローは、ＵＥ４１５が同時に２つの隣接するセル中の２つのセルタワーの範囲内にあるとき、２つのまったく別個のストリーム中で２つのｅノードＢ４０５−ａからのデータを送信および受信することによって動作する。ＵＥ４１５は、デバイスが２つのｅノードＢ４０５−ａのいずれか一方のリーチのエッジ上にあるとき、同時に２つのｅノードＢと通信する。２つの異なるｅノードＢからのＵＥ４１５への２つの独立データストリームを同時にスケジュールすることによって、マルチフローは、ＨＳＰＡネットワークにおける不均一なローディングを活用する。これは、ネットワーク容量を増加させながら、セルエッジユーザエクスペリエンスを改善するのに役立つ。一例では、セルエッジにおけるユーザのためのスループットデータ速度が２倍になり得る。「マルチフロー」は、デュアルキャリアＨＳＰＡと同様であるＬＴＥ／ＬＴＥ−Ａの特徴であるが、相違がある。たとえば、デュアルキャリアＨＳＰＡは、デバイスに同時に接続するための複数のタワーへの接続性を可能にしない。
【００６２】
[0076]ＬＴＥ−Ａ規格化の前に、ＬＴＥコンポーネントキャリア４３０は後方互換性があり、それが新しいリリースへの円滑な移行を可能にした。しかしながら、この特徴により、ＬＴＥコンポーネントキャリア４３０は、帯域幅にわたってあらゆるサブフレーム中で共通基準信号（ＣＲＳ、セル固有基準信号とも呼ばれる）を連続的に送信した。限られた制御シグナリングのみが送信されているときでもセルがオンのままであり、それにより、電力増幅器がエネルギーを消費し続けるので、大部分のセルサイトエネルギー消費はその増幅器によって生じる。ＣＲＳは、ＬＴＥ規格のリリース８に導入されており、ＬＴＥにおいて最も基本的なダウンリンク基準信号である。ＣＲＳは、周波数領域中のあらゆるリソースブロック中で、およびあらゆるダウンリンクサブフレーム中で送信される。セル中のＣＲＳが、１つ、２、または４つの対応するアンテナポートのためのものであることがある。コヒーレント復調のためのチャネルを推定するためにリモート端末によってＣＲＳが使用され得る。ニューキャリアタイプ（ＮＣＴ：New Carrier Type）は、５つのサブフレームのうち４つにおいてＣＲＳの送信を削除することによって、セルのスイッチングオフを一時的に可能にする。この特徴は、ＣＲＳが、もはや帯域幅にわたってあらゆるサブフレーム中で連続的に送信されるとは限らないので、電力増幅器よって消費される電力、ならびにオーバーヘッドとＣＲＳからの干渉とを低減する。さらに、ニューキャリアタイプは、ＵＥ固有復調基準シンボルを使用してダウンリンク制御チャネルを動作させることを可能にする。ニューキャリアタイプは、別のＬＴＥ／ＬＴＥ−Ａキャリアとともに拡張キャリアの一種として、または代替的にスタンドアロン非後方互換性キャリアとして動作させられ得る。
【００６３】
[0077]図５Ａおよび図５Ｂは、本態様による、ＷＷＡＮ（たとえば、ＬＴＥ）ＲＬＦ回復を管理するように構成された態様を有するワイヤレス通信システム５００−ａおよび５００−ｂにおける、ＵＥ５１５とＰＤＮ（たとえば、インターネット）との間のデータ経路５４５および５５０の例を概念的に示すブロック図である。データ経路５４５および５５０は、ＷＬＡＮ無線アクセス技術（ＲＡＴ）とセルラー（たとえば、ＬＴＥ）ＲＡＴとをアグリゲートする、図５Ａのワイヤレス通信システム５００−ａおよび図５Ｂのワイヤレス通信システム５００−ｂのコンテキスト内で示されている。各例では、ワイヤレス通信システム５００−ａおよび５００−ｂは、マルチモードＵＥ５１５と、ｅノードＢ５０５−ａと、ＷＬＡＮ  ＡＰ５０５−ｂとを含み得る。ＵＥ５１５は、図１のＵＥ１２０、図２のＵＥ２１５、図３のＵＥ３２０、および図４のＵＥ４１５のうちの１つまたは複数の一例であり得る。ｅノードＢ５０５−ａは、図１のｅノードＢ１１０、図２のｅノードＢ２０５、図３のｅノードＢ３１０、および図４のｅノードＢ４０５−ａのうちの１つまたは複数の一例であり得、ＷＬＡＮ  ＡＰ５０５−ｂは、図４のＷＬＡＮ  ＡＰ４０５−ｂの一例であり得る。
【００６４】
[0078]ワイヤレス通信システム５００−ａおよび５００−ｂは、発展型パケットコア（ＥＰＣ）５１２、ＰＤＮ５１０、およびピアエンティティ５３０をも含み得、それらの各々が、それぞれ図２のＥＰＣ２１２、ＰＤＮ２１０、およびピアエンティティ２３０と同様であり得る。各例のＥＰＣ５１２は、モビリティ管理エンティティ（ＭＭＥ）５０５と、サービングゲートウェイ（ＳＧＷ）５２０と、ＰＤＮゲートウェイ（ＰＧＷ）５２５とを含み得、ＳＧＷ５２０およびＰＧＷ５２５は、図２のＳＧＷ２２０およびＰＧＷ２２５と同様であり得る。ホーム加入者システム（ＨＳＳ：home subscriber system）５３５は、ＭＭＥ５３０に通信可能に結合され得る。各例のＵＥ５１５は、ＬＴＥ無線機５２０とＷＬＡＮ無線機５２５とを含み得る。特に図５Ａを参照すると、ｅノードＢ５０５−ａおよびＷＬＡＮ  ＡＰ５０５−ｂは、１つまたは複数のＬＴＥコンポーネントキャリアあるいは１つまたは複数のＷＬＡＮコンポーネントキャリアのアグリゲーションを使用して、ＵＥ５１５にＰＤＮ５１０へのアクセスを与えることが可能であり得る。ＰＤＮ５１０へのこのアクセスを使用して、ＵＥ５１５はピアエンティティ５３０と通信し得る。ｅノードＢ５０５−ａは、（たとえば、データ経路５４５を通して）発展型パケットコア５１２を通してＰＤＮ５１０へのアクセスを与え得、ＷＬＡＮ  ＡＰ５０５−ｂは、（たとえば、データ経路５５０を通して）ＰＤＮ５１０への直接アクセスを与え得る。一態様では、ＬＴＥおよびＷＬＡＮデータフローは、データ経路５４５および５５０を介して流れ得る。
【００６５】
[0079]ＭＭＥ５３０は、ＵＥ５１５とＥＰＣ５１２との間のシグナリングを処理する制御ノードであり得る。概して、ＭＭＥ５３０はベアラおよび接続管理を行い得る。ＭＭＥ５３０は、したがって、ＵＥ５１５のためにアイドルモードＵＥトラッキングおよびページングと、ベアラアクティブ化および非アクティブ化と、ＳＧＷ選択とを担当し得る。ＭＭＥ５３０は、Ｓ１−ＭＭＥインターフェースを介してｅノードＢ５０５−ａと通信し得る。ＭＭＥ５３０は、ＵＥ５１５をさらに認証し、ＵＥ５１５との非アクセス層（ＮＡＳ：Non-Access Stratum）シグナリングを実装し得る。
【００６６】
[0080]ＨＳＳ５３５は、機能の中でも、加入者データを記憶し、ローミング制限を管理し、加入者のためのアクセス可能アクセスポイント名（ＡＰＮ：access point name）を管理し、加入者をＭＭＥ５３０に関連付け得る。ＨＳＳ５３５は、３ＧＰＰ団体によって規格化された発展型パケットシステム（ＥＰＳ）アーキテクチャによって定義されたＳ６ａインターフェースを介してＭＭＥ５３０と通信し得る。
【００６７】
[0081]ＬＴＥ上で送信されるすべてのユーザＩＰパケットは、ｅノードＢ５０５−ａを通してＳＧＷ２２０に転送され得、ＳＧＷ２２０は、Ｓ５シグナリングインターフェースを介してＰＤＮゲートウェイ５２５に接続され、Ｓ１１シグナリングインターフェースを介してＭＭＥ５３０に接続され得る。ＳＧＷ２２０は、ユーザプレーンに常駐し、ｅノードＢ間ハンドオーバおよび異なるアクセス技術間のハンドオーバのためのモビリティアンカーとして働き得る。ＰＤＮゲートウェイ５２５はＵＥのＩＰアドレス割振りならびに他の機能を与え得る。
【００６８】
[0082]ＰＤＮゲートウェイ５２５は、ＳＧｉシグナリングインターフェースを介して、ＰＤＮ５１０など、１つまたは複数の外部パケットデータネットワークへの接続性を与え得る。ＰＤＮ５１０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００６９】
[0083]本例では、ＵＥ５１５とＥＰＣ５１２との間のユーザプレーンデータは、トラフィックがＬＴＥリンクの経路５４５を介して流れるのか、ＷＬＡＮリンクの経路５５０を介して流れるのかにかかわらず、１つまたは複数のＥＰＳベアラ（またはデータフロー）の同じセットを横断し得る。１つまたは複数のＥＰＳベアラのセットに関係するシグナリングまたは制御プレーンデータは、ｅノードＢ５０５−ａを経由して、ＵＥ５１５のＬＴＥ無線機５２０とＥＰＣ５１２−ｂのＭＭＥ５３０との間で送信され得る。
【００７０】
[0084]図５Ｂは、ｅノードＢ５０５−ａとＷＬＡＮ  ＡＰ５０５−ｂがコロケートされるか、またはさもなければ互いと高速通信している、例示的なワイヤレス通信システム５００−ｂを示している。この例では、ＵＥ５１５とＷＬＡＮ  ＡＰ５０５−ｂとの間のＥＰＳベアラ関係データは、ｅノードＢ５０５−ａにルーティングされ、次いでＥＰＣ５１２にルーティングされ得る。このようにして、すべてのＥＰＳベアラ関係データは、ｅノードＢ５０５−ａと、ＥＰＣ５１２と、ＰＤＮ５１０と、ピアエンティティ５３０との間で同じ経路に沿ってフォワーディングされ得る。
【００７１】
[0085]図６を参照すると、マルチモードＵＥ６１５が、本明細書で説明するユーザ機器のためのＲＬＦ回復を管理するように構成された態様を有するワイヤレス通信システム６００内のｅノードＢ６０５−ａおよびＷＬＡＮ（たとえば、Ｗｉ−Ｆｉ）ＡＰ６０５−ｂと通信している。ＵＥ６１５は、図１のＵＥ１２０、図２のＵＥ２１５、図３のＵＥ３２０、図４のＵＥ４１５、ならびに図５Ａおよび図５ＢのＵＥ５１５のうちの１つまたは複数の一例であり得る。ｅノードＢ６０５−ａは、図１のｅノードＢ１１０、図２のｅノードＢ２０５、図３のｅノードＢ３１０、図４のｅノードＢ４０５−ａ、ならびに図５Ａおよび図５ＢのｅノードＢ５０５−ａのうちの１つまたは複数の一例であり得る。ＷＬＡＮ  ＡＰ６０５−ｂは、図４のＷＬＡＮ  ＡＰ４０５−ｂならびに図５Ａおよび図５ＢのＷＬＡＮ  ＡＰ５０５−ｂのうちの１つまたは複数の一例であり得る。図５Ａおよび図５Ｂに関して上記で説明したように、ワイヤレス通信システム６００は、ＵＥ６１５がｅノードＢ６０５−ａとＷＬＡＮ  ＡＰ６０５−ｂの両方と通信し得るように、ＷＷＡＮ（たとえば、ＬＴＥまたはＵＭＴＳ）ＲＡＴとＷＬＡＮ（たとえば、Ｗｉ−Ｆｉ）ＲＡＴとを含み得、様々な通信経路を通して、ＷＷＡＮデータフローとＷＬＡＮデータフローとを可能にする。このシナリオは、ｅノードＢ６０５−ａとＷＬＡＮ  ＡＰ６０５−ｂの両方との同時またはコンカレント接続により、ＵＥ６１５のための「デュアル接続性」と呼ばれることもある。
【００７２】
[0086]ＵＥ６１５、ｅノードＢ６０５−ａ、およびＷＬＡＮ  ＡＰ６０５−ｂは、異なる技法（たとえば、上記で表１に示したように、６つの異なる態様）に従ってＵＥ６１５におけるＷＷＡＮ（たとえば、ＬＴＥ）ＲＬＦ回復を管理するように構成され得る。より詳細には、ＬＴＥ  ＲＬＦ検出および回復プロセス全体にわたってＷＬＡＮデータフローを処理するための６つの態様について説明する。これらの態様について別々に説明するが、態様の一部または全部が、直列におよび／または並列に、任意の数の組合せで互いと動作するように構成され得ることを理解されよう。したがって、これらの態様の組合せは、ＬＴＥ  ＲＬＦ時のＷＬＡＮデータフロー処理のための異なる代替形態を生じ得る。
【００７３】
[0087]ＵＥ６１５は、図５Ａおよび図５Ｂに示されているようにＵＥ５１５のＬＴＥ無線機５２０およびＷＬＡＮ無線機５２５と同じまたは同様であり得る、ＷＷＡＮ無線機６２０とＷＬＡＮ無線機６２５とを含む。ＷＷＡＮ無線機６２０は、ＷＷＡＮ無線リンク６６１を介した（たとえば、図５Ａおよび図５Ｂの経路５４５介した）ＵＥ６１５とｅノードＢ６０５−ａとの間の通信を与えるように構成され得、ＷＬＡＮ無線機６２５は、ＷＬＡＮ無線リンク６６２介した（たとえば、図５Ａおよび図５Ｂのデータ経路５５０介した）ＵＥ６１５とＷＬＡＮ  ＡＰ６０５−ｂとの間の通信を与えるように構成され得る。ＷＷＡＮ無線リンク６６１およびＷＬＡＮ無線リンク６６２の各々は、少なくとも１つのデータフロー（たとえば、シグナリングデータフロー、ユーザデータフローなど）を含む。ＵＥ６１５は、ＵＥ６１５においてＬＴＥ  ＲＬＦを検出し、３ＧＰＰ規格ファミリーに記載されている、たとえば、ＲＬＦ検出、セル再選択、およびＲＲＣ接続再確立を含む、ＲＬＦ処理に関係するすべての態様を処理するように構成された、ＲＬＦ構成要素６３０を含む。たとえば不良ＲＦ状態により、ＷＷＡＮ無線リンク６６１のＲＬＦを検出すると、ＲＬＦ構成要素６３０は、ＲＬＦデータフロー決定構成要素６４０にＲＬＦ指示６５１を通信するように構成され得る。
【００７４】
[0088]ＲＬＦデータフロー決定構成要素６４０は、ＲＬＦ指示６５１を受信し、それに基づいて、（今度の）ＲＬＦ回復プロシージャ中にＬＴＥデータフローおよびＷＬＡＮデータフローをどのように処理すべきかを決定するように構成される。場合によっては、様々な態様では、ＲＬＦデータフロー決定構成要素６４０は、決定モジュール６４１、ネットワーク構成モジュール６４２、および／または再ルーティングモジュール６４３を含み得、それらの各々について、各エンティティがＲＬＦデータフロー決定構成要素６４０中に含まれる態様に従って、詳細に説明する。本明細書で説明する態様のすべてにおいて、ＲＬＦデータフロー決定構成要素６４０は、ＲＬＦの検出時におよび／またはＲＬＦ指示６５１に応答してＬＴＥデータフローを中断するように構成された、ＷＷＡＮデータフロー中断モジュール６４４を含む。ＷＷＡＮデータフロー中断モジュール６４４は、ＬＴＥデータフローが中断および／または再開されるべきであるかどうかと、いつ中断および／または再開されるべきであるかとを示すための中断／再開指示６５５を生成し、ＷＷＡＮ無線機６２０に送信するように構成され得る。本明細書で説明する態様のいくつかでは、ＲＬＦデータフロー決定構成要素６４０は、ＲＬＦの検出時にＷＬＡＮデータフローを中断するように構成されたＷＬＡＮデータフロー中断モジュール６４５を含む。ＷＬＡＮ無線データフロー中断モジュール６４５は、ＷＬＡＮデータフローが中断、維持、および／または再開されるべきであるかどうかと、いつ中断、維持、および／または再開されるべきであるかとを示すための中断／維持／再開指示６５７を生成し、ＷＬＡＮ無線機６２５に送信するように構成され得る。
【００７５】
[0089]さらに、ＵＥ６１５は、ＲＬＦデータフロー決定構成要素６４０から報告命令６５３を受信し、応答して、（１つまたは複数の）測定報告６５２を生成し、ｅノードＢ６０５−ａおよび／またはＷＬＡＮ  ＡＰ６０５−ｂに送信するように構成された測定報告構成要素６３５を含む。報告命令６５３は、特定の態様に応じて、たとえば、どのパラメータおよび／または無線信号状態を測定すべきか、いつおよびどれくらいの頻度で測定を実行すべきか、いずれの測定値を報告すべきか、いつおよびどれくらいの頻度で測定値を報告すべきか、どこに（１つまたは複数の）測定報告を送信すべきかなどに関する指示を含み得る。報告命令６５３はまた、ＲＬＦ検出時に測定報告からのすべての現在のＷＬＡＮ測定値エントリを削除または維持するためのＲＬＦデータフロー決定構成要素６４０からの指示を含み得る。（１つまたは複数の）測定報告６５２は、ＵＥ６１５の、それぞれＷＷＡＮ無線機６２０および／またはＷＬＡＮ無線機６２５によって測定されたＬＴＥネットワークおよび／またはＷＬＡＮネットワーク上の無線信号状態に関係する情報を含み得る。測定報告構成要素６３５は、報告命令６５３を実行するためにＷＷＡＮ無線機６２０および／またはＷＬＡＮ無線機６２５と連携して動作し得る。次いで、測定報告構成要素６３５は、ｅノードＢ６０５−ａへの送信のためにＷＷＡＮ無線機６２０に（１つまたは複数の）測定報告６５２を通信し得る。一態様（図示せず）では、測定報告構成要素６３５は、ＷＬＡＮ  ＡＰ６０５−ｂへの送信のためにＷＬＡＮ無線機６２５に（１つまたは複数の）測定報告６５２を通信し得る。
【００７６】
[0090]場合によっては、本明細書で説明する態様のうちのいくつかでは、ｅノードＢ６０５−ａは、構成６５４を生成し、ＵＥ６１５に送信するように構成された、ＲＬＦデータフロー構成要素６１０を含む。構成６５４は、ＲＬＦ回復中にＬＴＥデータフローおよび／またはＷＬＡＮデータフローをどのように処理すべきかに関してＵＥ６１５に命令するために使用され得る任意の情報、命令などであり得る。たとえば、構成６５４は、ＲＬＦデータフロー決定構成要素６４０がそれに基づいて構成を決定することを可能にし得るサービス品質（ＱｏＳ）パラメータであり得、および／またはＱｏＳパラメータは、ＲＬＦ処理中にＬＴＥデータフローおよびＷＬＡＮデータフローをどのように処理すべきかに関する明示的命令を含み得る。別の例では、構成６５４は、ＲＬＦ中にＷＬＡＮデータフローを中断すべきかどうかを示すフラグであるか、またはそれを含み得る、アクセスネットワーク発見および選択機能（ＡＮＤＳＦ：access network discovery and selection function）ポリシーであり得る。ＵＥ６１５上のＲＬＦデータフロー決定構成要素６４０は、ＲＬＦ処理中にＬＴＥデータフローおよびＷＬＡＮデータフローをどのように処理すべきかを決定する際に、決定モジュール６４１、ネットワーク構成モジュール６４２、および／または再ルーティングモジュール６４３のうちのいずれを採用すべきか（たとえば、本明細書で説明する６つの態様のうちのいずれが本シナリオに適用されるべきか）を決定するために構成６５４を受信し、利用するように構成され得る。
【００７７】
[0091]場合によっては、本明細書で説明する態様のうちのいくつかでは、ＷＬＡＮ  ＡＰ６０５−ｂは、ＬＴＥデータフローがＵＥ６１５におけるＲＬＦ回復中に維持される（たとえば、中断されない）ことを可能にするように構成された、ＷＷＡＮフォワーディング構成要素６１２を含む。より詳細には、ＷＷＡＮフォワーディング構成要素６１２は、ＲＬＦ処理中に（通信接続６１４を介して）ＵＥ６１５とｅノードＢ６０５−ａの両方と通信し、ＵＥ６１５からＬＴＥデータフローを受信し、それらをｅノードＢ６０５−ａにフォワーディングし、およびその逆を行うべきかどうかを決定するように構成され得る。
【００７８】
[0092]ＲＬＦ回復を管理することの様々な態様ならびにＵＥ６１５、ｅノードＢ６０５−ａ、およびＷＬＡＮ  ＡＰ６０５−ｂの対応する構成要素について、各態様を順に示すコールフロー図である図７〜図１２に関してさらに説明する。
【００７９】
[0093]図７を参照すると、コールフロー７００は、ＵＥのためのＲＬＦ回復を管理するための第１の態様による、図６のＵＥ６１５とｅノードＢ６０５−ａとＷＬＡＮ  ＡＰ６０５−ｂとの間の通信を示す。特に、この第１の態様では、本装置および方法は、ＲＬＦを検出するとＬＴＥデータフローを停止し、場合によっては、ＷＬＡＮデータフローを停止し、ＲＬＦからの回復時にデータフローを再確立する際に使用するためにＲＬＦの前のデータフローマッピングを保持する。コールフロー７００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第１の態様によれば、ＲＬＦデータフロー決定構成要素６４０は、ＷＷＡＮデータフロー中断モジュール６４４と、ＷＬＡＮデータフロー中断モジュール６４５と、決定モジュール６４１とを含む。
【００８０】
[0094]７０１において、ＵＥ６１５のＲＬＦ構成要素６３０は、現在の３ＧＰＰ規格通りにＲＬＦを検出する。７０２において、ＷＷＡＮデータフロー中断モジュール６４４は、すべてのＬＴＥデータフローがＷＷＡＮ無線リンク６６１上でＷＷＡＮ無線機６２０を介してｅノードＢ６０５−ａに送信されることを中断する。図示されていないが、ＷＷＡＮデータフロー中断モジュール６４４はまた、報告命令６５３を介して、既存の測定報告中のすべてのＷＬＡＮ測定値エントリを削除することを測定報告構成要素６５２に示す。７０３において、決定モジュール６４１は、ＷＬＡＮデータフローがＷＬＡＮ無線リンク６６２上でＷＬＡＮ無線機６２５を介してＷＬＡＮ  ＡＰ６０５−ｂに送信されることを中断すべきかどうかを決定する。７０３ａにおけるコールフロー７００の例に示されている、決定モジュール６４１がＷＬＡＮデータフローを中断することを決定した場合、ＷＬＡＮデータフローは中断される。決定モジュール６４１がＷＬＡＮデータフローを中断しないことを決定した場合（図示せず）、ＷＬＡＮデータフローはＲＬＦ処理中に維持される（または、ＲＬＦ検出後に一時的に中断された場合は、再開される）。
【００８１】
[0095]７０４において、ＲＬＦ構成要素６３０は、現在の３ＧＰＰ規格に従って、セル再選択プロシージャを実行し、７０５において、ＲＲＣ接続再確立要求メッセージを送ることと、７０６において、ＲＲＣ接続再確立メッセージを受信することと、７０７において、ＲＲＣ接続再確立完了メッセージを送ることとによって、ＵＥ６１５とｅノードＢ６０５−ａまたは別のｅノードＢとの間の接続を再確立する。決定モジュール６４１がＷＬＡＮデータフローを中断することを決定した場合、７０８において、ＷＬＡＮデータフローはＵＥ６１５とＷＬＡＮ  ＡＰ６０５−ｂとの間で再開される。７０９において、ＵＥ６１５およびｅノードＢ６０５−ａは、現在の３ＧＰＰ規格に従ってＲＲＣ接続再構成プロシージャを実行する。決定モジュール６４１は、ＲＬＦ構成要素６３０がＲＲＣ接続再構成プロシージャを実行していると決定し、応答して、測定報告構成要素６３５に様々なネットワーク状態を測定するように命令するために、測定報告構成要素６３５に報告命令６５３を与えるように構成され得る。測定報告構成要素６３５は、そのように行い、ＷＬＡＮ測定報告６５２をｅノードＢ６０５−ａに送信し得る。７１０において、ＷＷＡＮデータフロー中断モジュール６４４は、ＷＬＡＮ測定報告６５２に少なくとも部分的に基づいてＬＴＥデータフローが再開されるべきであることをＷＷＡＮ無線機６２０に示す。
【００８２】
[0096]図８を参照すると、コールフロー８００は、ＵＥのためのＲＬＦ回復を管理するための第２の態様による、図６のＵＥ６１５とｅノードＢ６０５−ａとＷＬＡＮ  ＡＰ６０５−ｂとの間の通信を示す。特に、この第２の態様では、本装置および方法は、ＲＬＦを検出するとＬＴＥデータフローとＷＬＡＮデータフローとを停止する。コールフロー８００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第２の態様によれば、ＲＬＦデータフロー決定構成要素６４０は、ＷＷＡＮデータフロー中断モジュール６４４と、ＷＬＡＮデータフロー中断モジュール６４５と、ネットワーク構成モジュール６４２とを含む。
【００８３】
[0097]８０１において、ＵＥ６１５のＲＬＦ構成要素６３０は、現在の３ＧＰＰ規格通りにＲＬＦを検出する。８０２において、ＷＷＡＮデータフロー中断モジュール６４４は、すべてのＬＴＥデータフローがＷＷＡＮ無線リンク６６１上でＷＷＡＮ無線機６２０を介してｅノードＢ６０５−ａに送信されることを中断する。図示されていないが、ＲＬＦデータフロー決定構成要素６４０は、測定報告構成要素６３５が既存の測定報告中のすべてのＷＬＡＮ測定報告エンティティを削除し得るように、測定報告構成要素６３５に報告命令６５３を与える。８０３において、ＷＬＡＮデータフロー中断モジュール６４５は、ＷＬＡＮデータフローがＷＬＡＮ無線リンク６６２上でＷＬＡＮ無線機６２５を介してＷＬＡＮ  ＡＰ６０５−ｂに送信されることを中断する。８０４において、ＲＬＦ構成要素６３０は、現在の３ＧＰＰ規格に従って、セル再選択プロシージャを実行し、８０５において、ＲＲＣ接続再確立要求メッセージを送ることと、８０６において、ＲＲＣ接続再確立メッセージを受信することと、８０７において、ＲＲＣ接続再確立完了メッセージを送ることとによって、ＵＥ６１５とｅノードＢ６０５−ａとの間の接続を再確立する。８０８において、ＵＥ６１５およびｅノードＢ６０５−ａは、現在の３ＧＰＰ規格に従ってＬＴＥのためのＲＲＣ接続再構成プロシージャを実行する。
【００８４】
[0098]ネットワーク構成モジュール６４２は、８０９において、ＲＬＦ構成要素６３０がＲＲＣ接続再構成プロシージャを実行していることを検出し、ＬＴＥデータフローを再開することをＷＷＡＮデータフロー中断モジュール６４４に通知するように構成され得る。ネットワーク構成モジュール６４２はまた、測定報告構成要素６３５に様々なネットワーク状態を測定するように命令するために、測定報告構成要素６３５に報告命令６５３を与えるように構成され得る。８１０において、測定報告構成要素６３５が、トリガリングイベントと呼ばれることがある、ＷＬＡＮ無線リンク６６２の品質がしきい値（たとえば、ＵＥ６１５において決定されるかまたはネットワークによってＵＥ６１５に与えられる構成可能および／または静的しきい値）よりも大きいと決定すると、８１１において、測定報告構成要素６３５はＷＬＡＮ測定報告６５２をｅノードＢ６０５−ａに送信する。８１２において、ｅノードＢ６０５−ａのＲＬＦデータフロー構成要素６１０は、ＷＬＡＮ測定報告６５２に少なくとも部分的に基づいて、ＷＬＡＮ無線リンク６６２がＷＬＡＮデータフローを再開することが許容可能であるかどうかを決定する。このことは、ｅノードＢ６０５−ａがＵＥ６１５が相互作用、たとえば、ＷＬＡＮとＬＴＥとの間のデュアル接続性を実行し得るかどうかを決定するので、相互作用決定と呼ばれることがある。８１３において、ＵＥ６１５およびｅノードＢ６０５−ａは、現在の３ＧＰＰ規格に従ってＷＬＡＮのためのＲＲＣ接続再構成プロシージャを実行する。ネットワーク構成モジュール６４２は、ｅノードＢ６０５−ａの相互作用決定の指示を受信し、したがって、８１４において、ＷＬＡＮデータフロー中断モジュール６４５にＷＬＡＮデータフローを再開するように命令する。応答して、ＷＬＡＮデータフロー中断モジュール６４５は、ＷＬＡＮ無線リンク６６２を介したＷＬＡＮデータフローを再開するために、ＷＬＡＮ無線機６２５に再開指示６５５を与え得る。
【００８５】
[0099]図９を参照すると、コールフロー９００は、ＵＥのためのＲＬＦ回復を管理するための第３の態様による、図６のＵＥ６１５とｅノードＢ６０５−ａとＷＬＡＮ  ＡＰ６０５−ｂとの間の通信を示す。特に、この第３の態様では、本装置および方法は、ＲＬＦを検出するとＬＴＥデータフローとＷＬＡＮデータフローとを停止する。コールフロー９００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第３の態様によれば、ＲＬＦデータフロー決定構成要素６４０は、ＷＷＡＮデータフロー中断モジュール６４４と、ＷＬＡＮデータフロー中断モジュール６４５と、ネットワーク構成モジュール６４２とを含む。コールフロー９００に関して説明する第３の態様は、いつＷＬＡＮ測定報告６５２が生成され、ｅノードＢ６０５−ａに送信されるかに関するタイミングを除いて、図８の第２の態様と同様である。
【００８６】
[00100]９０１において、ＵＥ６１５のＲＬＦ構成要素６３０は、現在の３ＧＰＰ規格通りにＲＬＦを検出する。９０２において、ＷＷＡＮデータフロー中断モジュール６４４は、すべてのＬＴＥデータフローがＷＷＡＮ無線リンク６６１上でＷＷＡＮ無線機６２０を介してｅノードＢ６０５−ａに送信されることを中断する。この態様では（図示せず）、ＲＬＦデータフロー決定構成要素６４０は、いずれの既存の測定報告中のＷＬＡＮ測定報告エンティティをも維持するように、報告命令６５３を介して、測定報告構成要素６３５に命令する。９０３において、ＷＬＡＮデータフロー中断モジュール６４５は、ＷＬＡＮデータフローがＷＬＡＮ無線リンク６６２上でＷＬＡＮ無線機６２５を介してＷＬＡＮ  ＡＰ６０５−ｂに送信されることを中断する。９０４において、ＲＬＦ構成要素６３０は、現在の３ＧＰＰ規格に従って、セル再選択プロシージャを実行し、９０５において、ＲＲＣ接続再確立要求メッセージを送ることと、９０６において、ＲＲＣ接続再確立メッセージを受信することと、８０７において、ＲＲＣ接続再確立完了メッセージを送ることとによって、ＵＥ６１５とｅノードＢ６０５−ａとの間の接続を再確立する。
【００８７】
[00101]この態様では、ネットワーク構成モジュール６４２は、ＲＲＣ接続再確立プロセスがＲＬＦ構成要素６３０によって進行中であることがネットワーク構成モジュール６４２によって決定されると、様々なネットワーク状態を測定するように測定報告構成要素６３５に命令するために、測定報告構成要素６３５に報告命令６５３を与えるように構成され得る。測定報告構成要素６３５は、９０７において、ＲＲＣ接続再確立完了メッセージの一部として、ＷＬＡＮ測定報告６５２を生成し、それを送信するように構成され得る。別の態様では、維持された既存の測定報告が、ＲＲＣ接続再確立完了メッセージの一部として送信され得る。９０８において、ｅノードＢ６０５−ａはＷＬＡＮ測定報告６５２を受信しており、少なくとも部分的にそれに基づいて、ＲＬＦデータフロー構成要素６１０は、相互作用決定を行うように、たとえば、ＵＥ６１５においてＷＬＡＮデータフローを再開すべきかどうかを決定するように構成され得る。相互作用決定がＷＬＡＮデータフローを再開することである場合、９０９において、ＵＥ６１５およびｅノードＢ６０５−ａは、現在の３ＧＰＰ規格に従ってＷＬＡＮおよびＬＴＥのためのＲＲＣ接続再構成プロシージャを実行する。相互作用決定がＷＬＡＮデータフローを再開しないことである場合（図示せず）、９０９におけるＲＲＣ接続再構成プロシージャはＬＴＥのみのためであり得る。ネットワーク構成モジュール６４２は、９１０において、ＲＬＦ構成要素６３０がＲＲＣ接続再構成プロシージャを実行していることを検出し、ＷＷＡＮ無線機６２０に中断／再開指示６５５を送ることと、ＷＷＡＮ無線リンク６６１上のＬＴＥデータフローを再開することとによってＬＴＥデータフローを再開することをＷＷＡＮデータフロー中断モジュール６４４に通知するように構成され得る。９１１において、９０８における相互作用決定に基づいて、ネットワーク構成モジュール６４２は、同様に、ＷＬＡＮ無線リンク６６２上のＷＬＡＮデータフローを再開するために、ＷＬＡＮ無線機６２５に再開指示６５６を送ることによってＷＬＡＮデータフローを再開することをＷＬＡＮデータフロー中断モジュール６４５に通知するように構成され得る。
【００８８】
[00102]図１０を参照すると、コールフロー１０００は、ＵＥのためのＲＬＦを管理するための第４の態様による、図６のＵＥ６１５とｅノードＢ６０５−ａとＷＬＡＮ  ＡＰ６０５−ｂとの間の通信を示す。特に、この第４の態様では、本装置および方法は、ＲＬＦを検出するとＬＴＥデータフローを停止し、場合によってはＷＬＡＮデータフローを停止し得る。コールフロー１０００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第４の態様によれば、ＲＬＦデータフロー決定構成要素６４０は、ＷＷＡＮデータフロー中断モジュール６４４と、ＷＬＡＮデータフロー中断モジュール６４５と、決定モジュール６４１とを含む。
【００８９】
[00103]１００１において、ＵＥ６１５のＲＬＦ構成要素６３０は、現在の３ＧＰＰ規格通りにＲＬＦを検出する。１００２において、ＷＷＡＮデータフロー中断モジュール６４４は、すべてのＬＴＥデータフローがＷＷＡＮ無線リンク６６１上でＷＷＡＮ無線機６２０を介してｅノードＢ６０５−ａに送信されることを中断する。１００３において（コールフロー７００の第１の態様と同様に）、決定モジュール６４１は、ＷＬＡＮデータフローがＷＬＡＮ無線リンク６６２上でＷＬＡＮ無線機６２５を介してＷＬＡＮ  ＡＰ６０５−ｂに送信されることを中断すべきかどうかを決定する。１００３ａにおけるコールフロー１０００の例に示されている、決定モジュール６４１がＷＬＡＮデータフローを中断することを決定した場合、ＷＬＡＮデータフローは中断される。決定モジュール６４１がＷＬＡＮデータフローを中断しないことを決定した場合（図示せず）、ＷＬＡＮデータフローはＲＬＦ処理中に維持されるおよび（または、ＲＬＦ検出時にＷＬＡＮデータフローが一時的に中断された場合は、再開される）。１００４において、ＲＬＦ構成要素６３０は、現在の３ＧＰＰ規格に従って、セル再選択プロシージャを実行し、１００５において、ＲＲＣ接続再確立要求メッセージを送ることと、１００６において、ＲＲＣ接続再確立メッセージを受信することと、１００７において、ＲＲＣ接続再確立完了メッセージを送ることとによって、ＵＥ６１５とｅノードＢ６０５−ａとの間の接続を再確立する。
【００９０】
[00104]決定モジュール６４１は、ＲＲＣ接続再確立プロセスがＲＬＦ構成要素６３０によって進行中であることがネットワーク構成モジュール６４２によって決定されると、様々なネットワーク状態を測定するように測定報告構成要素６３５に命令するために、測定報告構成要素６３５に報告命令６５３を与えるように構成され得る。測定報告構成要素６３５は、１００７において、ＲＲＣ接続再確立完了メッセージの一部として、ＷＬＡＮ測定報告６５２を生成し、それを送信するように構成され得る。１００８において、ｅノードＢ６０５−ａはＷＬＡＮ測定報告６５２を受信しており、少なくとも部分的にそれに基づいて、ＲＬＦデータフロー構成要素６１０は、相互作用決定を行うように、たとえば、ＵＥ６１５においてＷＬＡＮデータフローを再開すべきかどうかを決定するように構成され得る。より詳細には、ｅノードＢ６０５−ａにおけるＲＬＦデータフロー構成要素６１０は、ＷＬＡＮデータフローを再開すべきかどうかに関するＵＥ６１５による決定を維持すべきかオーバーライドすべきかを決定するように構成され得る。相互作用決定がＷＬＡＮデータフローを再開することである場合、１００９において、ＵＥ６１５およびｅノードＢ６０５−ａは、現在の３ＧＰＰ規格に従ってＷＬＡＮおよびＬＴＥのためのＲＲＣ接続再構成プロシージャを実行する。相互作用決定がＷＬＡＮデータフローを再開しないことである場合（図示せず）、１００９におけるＲＲＣ接続再構成プロシージャはＬＴＥのみのためであり得る。
【００９１】
[00105]ネットワーク構成モジュール６４２は、１０１０において、ＲＬＦ構成要素６３０がＲＲＣ接続再構成プロシージャを実行していることを検出し、ＷＷＡＮ無線機６２０に再開指示６５５を送ることと、ＷＷＡＮ無線リンク６６１上のＬＴＥデータフローを再開することとによってＬＴＥデータフローを再開することをＷＷＡＮデータフロー中断モジュール６４４に通知するように構成され得る。１０１１において、ネットワーク構成モジュール６４２は同様に、相互作用決定１００８に基づいて、ＷＬＡＮ無線リンク６６２上のＷＬＡＮデータフローを再開するためにＷＬＡＮ無線機６２５に再開指示６５６を送ることによってＷＬＡＮデータフローを再開することをＷＬＡＮデータフロー中断モジュール６４５に通知するように構成され得る。
【００９２】
[00106]図１１を参照すると、コールフロー１１００は、ＵＥのためのＲＬＦを管理するための第５の態様による、図６のＵＥ６１５とｅノードＢ６０５−ａとＷＬＡＮ  ＡＰ６０５−ｂとの間の通信を示す。特に、この第５の態様では、本装置および方法は、ＲＬＦを検出するとＬＴＥデータフローを停止する。コールフロー１１００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第５の態様によれば、ＲＬＦデータフロー決定構成要素６４０は、ＷＷＡＮデータフロー中断モジュール６４４と、ＷＬＡＮデータフロー中断モジュール６４５と、ネットワーク構成モジュール６４２とを含む。
【００９３】
[00107]１１０１において、ｅノードＢ６０５−ａのＲＬＦデータフロー構成要素６１０は、ＲＬＦ処理中にＷＬＡＮデータフローを中断すべきか維持すべきかに関してＵＥ６１５に命令するために、ＲＲＣ接続再構成メッセージ（たとえば、構成６５４）をＵＥ６１５に送信する。コールフロー１１００の例では、１１０１において送られたＲＲＣ接続再構成メッセージは、ＵＥ６１５にＲＬＦ処理中にＷＬＡＮデータフローを維持するように命令する。別の例では（図示せず）、１１０１において送られたＲＲＣ接続再構成メッセージは、ＵＥ６１５にＲＬＦ処理中にＷＬＡＮデータフローを中断するように命令し得る。
【００９４】
[00108]１１０２において、ＵＥ６１５のＲＬＦ構成要素６３０は、現在の３ＧＰＰ規格通りにＲＬＦを検出する。１１０３において、ＷＷＡＮデータフロー中断モジュール６４４は、すべてのＬＴＥデータフローがＷＷＡＮ無線リンク６６１上でＷＷＡＮ無線機６２０を介してｅノードＢ６０５−ａに送信されることを中断する。１１０４において、ＲＬＦ構成要素６３０は、現在の３ＧＰＰ規格に従って、セル再選択プロシージャを実行し、１１０５において、ＲＲＣ接続再確立要求メッセージを送ることと、１１０６において、ＲＲＣ接続再確立メッセージを受信することと、１１０７において、ＲＲＣ接続再確立完了メッセージを送ることとによって、ＵＥ６１５とｅノードＢ６０５−ａとの間の接続を再確立する。１１０８において、ＵＥ６１５およびｅノードＢ６０５−ａは、現在の３ＧＰＰ規格に従ってＬＴＥのためのＲＲＣ接続再構成プロシージャを実行する。ネットワーク構成モジュール６４２は、１１０９において、ＲＬＦ構成要素６３０がＲＲＣ接続再構成プロシージャを実行していることを検出し、ＬＴＥデータフローを再開することをＷＷＡＮデータフロー中断モジュール６４４に通知するように構成され得る。ｅノードＢ６０５−ａが、ＲＲＣ接続再構成メッセージごとに、ＲＬＦ処理中にＷＬＡＮデータフローを中断するようにＵＥ６１５を構成した態様では（図示せず）、１１０１において、ネットワーク構成モジュール６４２は、ＷＬＡＮデータフローを再開することをＷＬＡＮデータフロー中断モジュール６４５に通知し得る。
【００９５】
[00109]図１２を参照すると、コールフロー１２００は、ＵＥのためのＲＬＦを管理するための第６の態様による、図６のＵＥ６１５とｅノードＢ６０５−ａとＷＬＡＮ  ＡＰ６０５−ｂとの間の通信を示す。特に、この第６の態様では、本装置および方法は、ＲＬＦを検出するとＬＴＥデータフローを場合によっては再ルーティングする。コールフロー１２００のアクションは、ＲＬＦ構成要素６３０と、測定報告構成要素６３５と、ＷＷＡＮ無線機６２０と、ＷＬＡＮ無線機６２５と、ＲＬＦデータフロー決定構成要素６４０とを含む、ＵＥ６１５によって実行される。第６の態様によれば、ＲＬＦデータフロー決定構成要素６４０は、ＷＷＡＮデータフロー中断モジュール６４４と、ＷＬＡＮデータフロー中断モジュール６４５と、再ルーティングモジュール６４３とを含む。
【００９６】
[00110]１２０１において、ＲＬＦ構成要素６３０は、現在の３ＧＰＰ規格に従ってＲＬＦを検出し、ＲＬＦデータフロー決定構成要素６４０にＲＬＦ指示６５１を与える。１２０２において、ＬＴＥデータフロー中断モジュールは、ＷＷＡＮ無線機６２０に中断指示６５５を送るように構成され得る。さらに、再ルーティングモジュール６４３は、ＬＴＥ接続がＵＥ６１５とｅノードＢ６０５−ａとの間で再確立され得るまで、ＷＬＡＮ無線機６２５を介してＷＬＡＮ  ＡＰ６０５−ｂにシグナリング無線ベアラ（たとえば、ＳＲＢ１）を再ルーティングし、さらにすべてのＬＴＥデータフローを再ルーティングする（たとえば、オフロードする）。１２０３において、ＲＬＦ構成要素６３０は、現在の３ＧＰＰ規格に従って、ＲＬＦを検出したことの結果としてセル再選択処理を実行する。１２０４において、ＲＬＦデータフロー決定構成要素６４０は、報告命令６５３を介して、測定報告構成要素６３５にＷＬＡＮ測定報告６５２を生成し、ＷＬＡＮ無線機６２５を介してＷＬＡＮ  ＡＰ６０５−ｂにＷＬＡＮ測定報告６５２を送信するように命令する。
【００９７】
[00111]１２０５において、ＷＬＡＮ  ＡＰ６０５−ｂのＷＷＡＮフォワーディング構成要素６１２は、バックホールを介してｅノードＢ６０５−ａにＷＬＡＮ測定報告６５２をフォワーディングする。１２０６において、ｅノードＢ６０５−ａのＲＬＦデータフロー構成要素６１０は、ＲＬＦ回復処理が完了し、ＬＴＥ通信が再確立されるまで（たとえば、ＬＴＥデータフローが再開し得るまで）、ＬＴＥデータフローがＷＬＡＮ  ＡＰ６０５−ｂを介して再ルーティングされるべきであるかどうかに関する相互作用決定を行う。１２０７において、ｅノードＢ６０５−ａは、それの相互作用決定をＷＬＡＮ  ＡＰ６０５−ｂに送信する。コールフロー１２００の例では、ｅノードＢ６０５−ａは、ＷＬＡＮ  ＡＰ６０５−ｂを介してＬＴＥデータフローを再ルーティングし続けることを決定する。１２０８において、ＷＬＡＮ  ＡＰ６０５−ｂは、ＷＬＡＮ相互作用コマンド（たとえば、相互作用決定）をＵＥ６１５にフォワーディングする。１２０９において、再ルーティングモジュール６４３は、ＷＷＡＮデータフロー中断モジュール６４４およびＷＬＡＮデータフロー中断モジュール６４５に、それぞれ、ＬＴＥデータフローを再開すること、およびＷＬＡＮ無線リンク６６２を介したＷＬＡＮデータフローを続けることを通知する。ＬＴＥデータフローとＷＬＡＮデータフローの両方が、ＷＬＡＮ無線機６２５を介してＷＬＡＮ無線リンク６６２上で送信される。
【００９８】
[00112]一方、ＲＬＦ構成要素６３０は、１２１０において、ＲＲＣ接続再確立要求メッセージを送ることと、１２１１において、ＲＲＣ接続再確立メッセージを受信することと、１２１２において、ＲＲＣ接続再確立完了メッセージを送ることとによって、ＵＥ６１５とｅノードＢ６０５−ａとの間の接続を再確立する。再ルーティングモジュール６４３は、ＲＲＣ接続再確立プロセスがＲＬＦ構成要素６３０によって進行中であることがネットワーク構成モジュール６４２によって決定されると、様々なネットワーク状態を測定するように測定報告構成要素６３５に命令するために、測定報告構成要素６３５に報告命令６５３を与えるように構成され得る。測定報告構成要素６３５は、１２１２において、ＲＲＣ接続再確立完了メッセージの一部として、ＬＴＥおよび／またはＷＬＡＮ測定報告６５２を生成し、ＷＬＡＮ測定報告を送信するように構成され得る。
【００９９】
[00113]再確立プロシージャが完了すると、ＵＥ６１５およびｅノードＢ６０５−ａは再びＬＴＥを介して通信し、ＳＲＢ１が再確立される。したがって、１２１３において、ｅノードＢ６０５−ａは、ＷＬＡＮ無線リンク６６２上で現在送信されているＬＴＥデータフローをＷＷＡＮ無線リンク６６１に再ルーティング（たとえば、フォールバック）すべきかどうかを決定する。したがって、ＲＬＦデータフロー構成要素６１０は、ＷＬＡＮ測定報告６５２に少なくとも部分的に基づいて相互作用決定を行う。相互作用決定がＬＴＥデータフローを再開することである場合、１２１４において、ＵＥ６１５およびｅノードＢ６０５−ａは、現在の３ＧＰＰ規格に従ってＬＴＥのためのＲＲＣ接続再構成プロシージャを実行する。相互作用決定がＬＴＥデータフローを再開しないことである場合（図示せず）、１２１４におけるＲＲＣ接続再構成プロシージャはこの時点で行われないことがある。再ルーティングモジュール６４３は、１２１５において、ＷＷＡＮ無線機６２０に再開指示６５５を送ることと、ＷＷＡＮ無線リンク６６１上のＬＴＥデータフローを再開することとによってＬＴＥデータフローを再開することをＷＷＡＮデータフロー中断モジュール６４４に通知し得る。
【０１００】
[00114]図１３を参照すると、たとえば、図１のＵＥ１２０、図２のＵＥ２１５、図３のＵＥ３２０、図４のＵＥ４１５、図５Ａおよび図５ＢのＵＥ５１５、ならびに図６〜図１２のＵＥ６１５のうちの１つなど、ユーザ機器によって無線リンク障害回復を管理するための方法１３００。簡単のために、方法１３００の態様について、図６によって概略的に示された、ｅノードＢ６０５−ａおよび／またはＷＬＡＮ  ＡＰ６０５−ｂと通信しているＵＥ６１５によって実行されるものとして説明する。より詳細には、方法１３００の態様は、たとえば、ＲＬＦ構成要素６３０、測定報告構成要素６３５、ＲＬＦデータフロー決定構成要素６４０、ＷＷＡＮ無線機６２０、および／またはＷＬＡＮ無線機６２５によって実行され得る。
【０１０１】
[00115]１３０５において、方法１３００は、第１の無線アクセス技術（ＲＡＴ）および第２のＲＡＴを用いて通信を確立することを含む。たとえば、ＵＥ６１５および／またはＷＷＡＮ無線機６２０およびＷＬＡＮ無線機６２５は、それぞれ、ＷＷＡＮ（たとえば、ＬＴＥ）の第１のＲＡＴを介してｅノードＢ６０５−ａとの通信を、およびＷＬＡＮ（たとえば、Ｗｉ−Ｆｉ）の第２のＲＡＴを介してＷＬＡＮ  ＡＰ６０５−ｂとの通信を確立するように構成され得る。
【０１０２】
[00116]１３１０において、方法１３００は、第１のＲＡＴを介して少なくとも１つのデータフローを、および第２のＲＡＴを介して少なくとも１つのデータフローを送信することを含む。たとえば、ＵＥ６１５および／またはＷＷＡＮ無線機６２０は、ＷＷＡＮ無線リンク６６１を介してｅノードＢ６０５−ａにＬＴＥデータフローを送信し、ＵＥ６１５および／またはＷＬＡＮ無線機６２５は、ＷＬＡＮ無線リンク６６２介してＷＬＡＮ  ＡＰ６０５−ｂにＷＬＡＮデータフローを送信する。一態様では、ＷＷＡＮ（たとえば、ＬＴＥ）データフローは、ベアラ、トラフィックフローテンプレート（ＴＦＴ）、伝送制御プロトコル（ＴＣＰ）接続、および／またはサービス品質（ＱｏＳ）クラスであり得るか、またはそれらと関連し得る。
【０１０３】
[00117]１３１５において、方法１３００は、ユーザ機器と第１のＲＡＴとの間の無線リンク障害（ＲＬＦ）を検出することを含む。たとえば、ＵＥ６１５および／またはＲＬＦ構成要素６３０は、３ＧＰＰ規格に記載されているプロシージャに従ってＲＬＦを検出するように構成され得る。
【０１０４】
[00118]１３２０において、方法１３００は、ＲＬＦが検出されたとき、第２のＲＡＴを介した少なくとも１つのデータフローを維持すべきかどうかを決定することを含む。たとえば、ＲＬＦデータフロー決定構成要素６４０は、ＲＬＦ検出時に、ＲＬＦ構成要素６３０からＲＬＦ指示６５１を受信し、応答して、ＲＬＦ回復処理中にＷＬＡＮデータフローを維持すべきかどうか（たとえば、中断すべきか、中断すべきでないか）を決定するように構成され得る。
【０１０５】
[00119]第２および第３の態様によれば、ならびに場合によっては第１、第４、および第５の態様では、方法１３００は、第２のＲＡＴを介した１つまたは複数のデータフロー（たとえば、ＷＬＡＮデータフロー）の送信を中断することを決定することと、第２のＲＡＴを介した１つまたは複数のデータフロー（たとえば、ＷＬＡＮデータフロー）の送信を中断することとを含み得る。いくつかの態様では、方法１３００は、ＲＬＦからの回復を検出することと、第２のＲＡＴを介した１つまたは複数のデータフロー（たとえば、ＷＬＡＮデータフロー）の送信を再開することとを含み得る。いくつかの態様では、方法１３００は、ＲＬＦからの回復を検出することと、第１のＲＡＴを介した１つまたは複数の中断されたデータフロー（たとえば、ＬＴＥデータフロー）の送信を再開することとを含み得る。いくつかの態様では、方法１３００は、ＲＬＦから回復を検出することと、第１のＲＡＴ（たとえば、ｅノードＢ６０５−ａ）から構成６５４を受信することと、第２のＲＡＴ（たとえば、ＷＬＡＮ）を介した１つまたは複数の中断されたデータフロー（たとえば、ＬＴＥデータフロー）の送信を再開することと、第２のＲＡＴ（たとえば、ＷＬＡＮ）に関係する情報を第１のＲＡＴ（たとえば、ＬＴＥ）に送信することとを含み得る。この場合、構成は、情報を送信することに応答して第１のＲＡＴから受信され得る。情報は、ＬＴＥおよび／またはＷＬＡＮについての測定報告であり得る。情報は、ＵＥが第２のＲＡＴ  ＲＬＦを介して特定のデータフロー（たとえば、ＷＬＡＮデータフロー）のための送信を中断したかどうかを示す、ＷＬＡＮデータフローごとに１つの指示であり得る。情報は、ＵＥが第１のＲＡＴ（たとえば、ＬＴＥ）または第２のＲＡＴ（たとえば、ＷＬＡＮ）を介したデータフローの各々のための送信を再開することになるかどうかについての、ＬＴＥデータフローごとに１つおよびＷＬＡＮデータフローごとに１つの指示であり得る。
【０１０６】
[00120]第６の態様によれば、ならびに場合によっては第１、第４、および第５の態様では、方法１３００は、第２のＲＡＴを介した少なくとも１つのデータフロー（たとえば、ＷＬＡＮデータフロー）の送信を維持することを決定することを含み得る。いくつかの態様では、決定することが、ＵＥにおいて受信されたネットワーク構成（たとえば、構成６５４）、アクセスネットワーク発見および選択機能（ＡＮＤＳＦ）ポリシー（たとえば、フラグ）、サービス品質（ＱｏＳ）パラメータ、および／またはＵＥの実装形態のうちの少なくとも１つに基づく。
【０１０７】
[00121]第６の態様によれば、方法１３００は、ＲＬＦ中に第２のＲＡＴ（たとえば、ＷＬＡＮ）を介して制御シグナリング（たとえば、ＬＴＥ  ＲＲＣシグナリング、ＮＡＳシグナリングなど）を送信することを含み得る。
【０１０８】
[00122]図１４を参照すると、ユーザ機器において無線リンク障害回復を管理するための方法１４００は、たとえば、図１のｅノードＢ１１０、図２のｅノードＢ２０５、図３のｅノードＢ３１０、図４のｅノードＢ４０５−ａ、図５Ａおよび図５ＢのｅノードＢ５０５−ａ、ならびに図６〜図１２のｅノードＢ６０５−ａのうちの１つであり得る、第１のｅノードＢによって実行され得る。簡単のために、方法１４００の態様について、図６によって概略的に示された、ＵＥ６１５および／またはＷＬＡＮ  ＡＰ６０５−ｂと通信しているｅノードＢ６０５−ａによって実行されるものとして説明する。方法１４００の例では、ｅノードＢ６０５−ａは、ＵＥ６１５を、ＲＬＦ処理中にＷＬＡＮデータフローを処理するように構成する。
【０１０９】
[00123]１４０５において、方法１４００は、第１の無線アクセス技術（ＲＡＴ）を介してユーザ機器との第１の通信接続を確立することを含む。たとえば、ｅノードＢ６０５−ａは、ＬＴＥを介してＵＥ６１５との第１の通信接続を確立するように構成される。一態様では、第１の通信接続を確立することは、ＵＥ６１５がアイドル状態から接続状態に移動する結果であるか、またはＵＥ６１５が別のｅノードＢからｅノードＢ６０５−ａにハンドオーバされる結果としてであり得る。
【０１１０】
[00124]１４１０において、方法１４００は、第２のＲＡＴを介してユーザ機器との第２の通信接続が確立されるという指示を受信することを含み、ここにおいて、第２の通信接続が少なくとも１つのデータフローを送信する。たとえば、ｅノードＢ６０５−ａは、ＵＥ６１５から、ＵＥ６１５がＷＬＡＮ  ＡＰ６０５−ｂとも通信しており、ＵＥ６１５がＷＬＡＮを介してＷＬＡＮ  ＡＰ６０５−ｂに少なくとも１つのＷＬＡＮデータフローを送信しているという指示を受信するように構成される。
【０１１１】
[00125]１４１５において、方法１４００は、第１の通信接続の無線リンク障害の後に、ユーザ機器から第１の通信接続の無線リンク障害（ＲＬＦ）回復指示を受信することを含む。たとえば、ｅノードＢ６０５−ａは、ＵＥ６１５から、ＵＥ６１５がＬＴＥを介してｅノードＢ６０５−ａと通信しており、ＵＥ６１５がＷＬＡＮを介してＷＬＡＮ  ＡＰ６０５−ｂと通信しているように、ＵＥ６１５がＲＬＦから回復しているという指示を受信するように構成され得る。
【０１１２】
[00126]１４２０において、方法１４００は、無線リンク障害中に第２のＲＡＴを介して第２の通信接続上で少なくとも１つのデータフローが維持され得るかどうかを決定することを含む。たとえば、ｅノードＢ６０５−ａのＲＬＦデータフロー構成要素６１０は、ＵＥ６１５がＲＬＦ中にＷＬＡＮデータフローを維持すべきか中断すべきかを決定するように構成され得る。
【０１１３】
[00127]１４２５において、方法１４００は、第２のＲＡＴを介して第２の通信接続上で、データフローごとに、少なくとも１つのデータフローの送信を維持すべきかどうかをユーザ機器に示すことを含む。たとえば、ｅノードＢ６０５−ａは、データフローごとにＷＬＡＮデータフローを中断すべきか維持すべきかを（たとえば、構成６５４を介して）ＵＥ６１５に示すように構成され得る。ｅノードＢ６０５−ａは、ｅノードＢ６０５−ａによってＵＥ６１５に送られた構成メッセージ（たとえば、ＲＲＣメッセージ）またはデータメッセージを介してＵＥ６１５に指示を与え得る。
【０１１４】
[00128]図１５を参照すると、ユーザ機器における無線リンク障害回復を管理するための方法１５００は、たとえば、図１のｅノードＢ１１０、図２のｅノードＢ２０５、図３のｅノードＢ３１０、図４のｅノードＢ４０５−ａ、図５Ａおよび図５ＢのｅノードＢ５０５−ａ、ならびに図６〜図１２のｅノードＢ６０５−ａのうちの１つであり得る、第２のｅノードＢによって実行され得る。簡単のために、方法１５００の態様について、図６によって概略的に示された、ＵＥ６１５および／またはＷＬＡＮ  ＡＰ６０５−ｂと通信しているｅノードＢ６０５−ａによって実行されるものとして説明する。方法１５００の例では、ｅノードＢ６０５−ａはＵＥ６１５のＲＬＦ回復を処理する。方法１４００の態様を実行するものとして説明された第１のｅノードＢは、方法１５００の態様を実行するものとして説明される第２のｅノードＢと同じであることも同じでないこともある。
【０１１５】
[00129]１５０５において、方法１５００は、ユーザ機器から、第１の通信接続についての無線リンク障害回復指示を受信することを含む。たとえば、ｅノードＢ６０５−ａは、ＵＥ６１５がＬＴＥ  ＲＬＦから回復しているという指示を受信する。
【０１１６】
[00130]１５１０において、方法１５００は、第２のＲＡＴを介してユーザ機器との第２の通信接続が確立されるという指示を受信することを含み、ここにおいて、第２の通信接続が少なくとも１つのデータフローに関連する。たとえば、ｅノードＢ６０５−ａは、ＵＥ６１５から、ＵＥ６１５がＷＬＡＮ無線リンク６６２を介してＷＬＡＮ  ＡＰ６０５−ｂと通信しており、ＷＬＡＮデータフローがＵＥ６１５によってＷＬＡＮ  ＡＰ６０５−ｂに送信されているという指示を受信する。
【０１１７】
[00131]１５１５において、方法１５００は、無線リンク障害回復の後に第２のＲＡＴを介して第２の通信接続上で少なくとも１つのデータフローが再開され得るかどうかを決定することを含む。たとえば、ｅノードＢ６０５−ａのＲＬＦデータフロー構成要素６１０は、ＵＥ６１５がＲＬＦから回復した後にＷＬＡＮ上でＷＬＡＮデータフローが再開され得るかどうかを決定するように構成され得る。
【０１１８】
[00132]１５２０において、方法１５００は、第２のＲＡＴを介して第２の通信接続上で少なくとも１つのデータフローの送信を再開すべきかどうかをユーザ機器に示すことを含む。たとえば、ｅノードＢ６０５−ａは、ＷＬＡＮを介してＷＬＡＮデータフローの送信を再開すべきかどうかを（たとえば、構成６５４を介して）ＵＥ６１５に示すように構成され得る。
【０１１９】
[00133]第１、第２、第３、第４、および第６の態様によれば、方法１５００は、場合によっては、第２のＲＡＴ（たとえば、ＷＬＡＮ）に関係する少なくとも１つの測定報告を受信することと、少なくとも１つの測定報告に少なくとも部分的に基づいて、ＵＥ６１５が第２のＲＡＴを介した少なくとも１つのデータフロー（たとえば、ＷＬＡＮデータフロー）の送信を再開することができるかどうかを決定することとを含む。
【０１２０】
[00134]いくつかの態様によれば、方法１５００は、場合によっては、複数の指示を受信することを含み、それらの各々が、ＵＥ６１５がＲＬＦ中に第２のＲＡＴを介した少なくとも１つのデータフロー（たとえば、ＷＬＡＮデータフロー）の特定の１つの送信を中断したかどうかを示し、ここにおいて、複数の指示の各々が、第２のＲＡＴを介した少なくとも１つのデータフロー（たとえば、ＷＬＡＮデータフロー）の特定の１つと関連する。さらに、方法１５００は、場合によっては、ＵＥ６１５から、第２のＲＡＴに関係する少なくとも１つの測定報告（たとえば、ＷＬＡＮ測定報告）を受信することと、第１の通信接続（たとえば、ＬＴＥ）が再確立されたことを検出することと、少なくとも１つの測定報告に基づいて、第２のＲＡＴ（たとえば、ＷＬＡＮ）を介した送信を再開すべきかどうかを決定することとを含む。一例では、（１つまたは複数の）測定報告はＲＲＣ接続再確立メッセージの一部として送信され得る。
【０１２１】
[00135]いくつかの態様によれば、方法１５００は、場合によっては、第２のＲＡＴを介した少なくとも１つのデータフロー（たとえば、ＬＴＥデータフロー）の送信がＲＬＦ中に維持されたというさらなる指示を受信することと、第１の通信接続（たとえば、ＬＴＥ）が再確立されたことを検出することと、ＲＬＦ中に第２のＲＡＴ（たとえば、ＷＬＡＮ）上で維持された少なくとも１つのデータフロー（たとえば、ＬＴＥデータフロー）を第１のＲＡＴ（たとえば、ＬＴＥ）を介して送信すべきかどうかを決定することとを含む。一例では、さらなる指示は、たとえば、ＲＲＣ接続再確立メッセージの一部として送信され得る、第２のＲＡＴに関係する測定報告（たとえば、ＷＬＡＮ測定報告）であり得る。
【０１２２】
[00136]図１６を参照すると、本明細書で説明した、複数のアクセスノードの間でユーザ機器処理能力を割り振るために構成された態様を有する処理システム１６１４を採用する装置１６００のためのハードウェア実装形態の一例が示されている。この例では、処理システム１６１４は、バス１６０２によって概略的に表されるバスアーキテクチャを用いて実装され得る。バス１６０２は、処理システム１６１４の特定の適用例および全体的な設計制約に応じて、任意の数の相互接続バスおよびブリッジを含み得る。バス１６０２は、プロセッサ１６０４によって概略的に表される１つまたは複数のプロセッサと、コンピュータ可読媒体１６０６によって概略的に表されるコンピュータ可読媒体とを含む様々な回路を互いにリンクする。処理システム１６１４を採用する装置１６００が、たとえば、ｅノードＢ６０５−ａである一態様では、バス１６０２はＲＬＦデータフロー構成要素６１０をもリンクする。処理システム１６１４を採用する装置１６００が、たとえば、ＷＬＡＮ  ＡＰ６０５−ｂである一態様では、バス１６０２はＷＷＡＮフォワーディング構成要素６１２をもリンクする。処理システム１６１４を採用する装置１６００が、たとえば、ＵＥ６１５である一態様では、バス１６０２は、ＲＬＦ構成要素６３０と、測定報告構成要素６３５と、ＲＬＦデータフロー決定構成要素６４０と、ＷＷＡＮ無線機６２０と、ＷＬＡＮ無線機６２５とをもリンクする。トランシーバ１６１０がＷＷＡＮ無線機６２０とＷＬＡＮ無線機６２５との一部であり得、その逆も同様であり得ることに留意されたい。バス１６０２はまた、タイミングソース、周辺機器、電圧調整器、および電力管理回路など、様々な他の回路をリンクし得るが、これらの回路は当技術分野においてよく知られており、したがって、これ以上説明しない。図１６の任意の態様が、ハードウェア、ソフトウェア、および／またはそれらの組合せによって実装され得ることを理解されたい。一例では、図１６の装置がそれをサポートするように構成された動作または機能のうちのいずれも、プロセッサ１６０４および／またはコンピュータ可読媒体１６０６を使用して実装され得る。
【０１２３】
[00137]バスインターフェース１６０８は、バス１６０２とトランシーバ１６１０との間のインターフェースを与える。トランシーバ１６１０は、伝送媒体を介して様々な他の装置と通信するための手段を与える。装置の性質に応じて、ユーザインターフェース１６１２（たとえば、キーパッド、ディスプレイ、スピーカー、マイクロフォン、ジョイスティック）も与えられ得る。
【０１２４】
[00138]プロセッサ１６０４は、バス１６０２を管理することと、コンピュータ可読媒体１６０６に記憶されたソフトウェアの実行を含む一般的な処理とを担当する。ソフトウェアは、プロセッサ１６０４によって実行されたとき、処理システム１６１４に、特定の装置について複数のアクセスノード間でユーザ機器処理能力を割り振ることに関する本明細書で説明した様々な機能を実行させる。コンピュータ可読媒体１６０６はまた、ソフトウェアを実行するときにプロセッサ１６０４によって操作されるデータを記憶するために使用され得る。
【０１２５】
[00139]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散システム中の、および／または他のシステムを用いるインターネットなどのネットワーク上の別の構成要素と信号を介して対話する１つの構成要素からのデータなど、１つまたは複数のデータパケットを有する信号によるなど、ローカルプロセスおよび／またはリモートプロセスを介して通信し得る。
【０１２６】
[00140]さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。その上、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【０１２７】
[00141]その上、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とにおいて使用する冠詞「ａ」および「ａｎ」は、別段に規定されていない限り、または単数形を対象とすべきであると文脈から明らかでない限り、概して「１つまたは複数」を意味すると解釈されるべきである。
【０１２８】
[00142]本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【０１２９】
[00143]様々な態様または特徴が、いくつかのデバイス、構成要素、モジュールなどを含み得るシステムに関して提示される。様々なシステムは、追加のデバイス、構成要素、モジュールなどを含むことがあり、および／または図に関して説明したデバイス、構成要素、モジュールなどのすべてを含むとは限らないことを理解および諒解されたい。これらの手法の組合せも使用され得る。
【０１３０】
[00144]本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【０１３１】
[00145]さらに、本明細書で開示した態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【０１３２】
[00146]１つまたは複数の態様では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用され得、コンピュータによってアクセスされ得る任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１３３】
[00147]上記の開示は、例示的な態様および／または実施形態について論じたが、添付の特許請求の範囲によって定義された説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に本願の出願当初の特許請求の範囲に記載された発明を付記する。
[Ｃ１]  無線リンク障害回復を管理するための方法であって、
第１の無線アクセス技術および第２の無線アクセス技術を用いて通信を確立することと、
前記第１の無線アクセス技術を介して少なくとも１つのデータフローを、および前記第２の無線アクセス技術を介して少なくとも１つのデータフローを送信することと、
ユーザ機器と前記第１の無線アクセス技術との間の無線リンク障害を検出することと、
前記無線リンク障害が検出されたとき、前記第２の無線アクセス技術を介した前記少なくとも１つのデータフローを維持すべきかどうかを決定することとを備える、方法。
[Ｃ２]  前記第１の無線アクセス技術がワイヤレスワイドエリアネットワーク（ＷＷＡＮ）に関連し、前記少なくとも１つのデータフローが、ベアラ、トラフィックフローテンプレート（ＴＦＴ）、伝送制御プロトコル（ＴＣＰ）接続、およびサービス品質（ＱｏＳ）クラスのうちの少なくとも１つである、Ｃ１に記載の方法。
[Ｃ３]  前記ＷＷＡＮがロングタームエボリューション（ＬＴＥ）ネットワークまたはユニバーサルモバイルテレコミュニケーションシステム（ＵＭＴＳ）である、Ｃ１に記載の方法。
[Ｃ４]  前記第２の無線アクセス技術を介した前記少なくとも１つのデータフローを維持すべきかどうかを決定することが、前記第２の無線アクセス技術を介した前記少なくとも１つのデータフローの１つまたは複数のデータフローの送信を中断することを決定することを備え、前記第２の無線アクセス技術を介した前記１つまたは複数のデータフローの前記送信を中断することをさらに備える、Ｃ１に記載の方法。
[Ｃ５]  前記無線リンク障害からの回復を検出することと、
前記回復を検出したことに応答して、前記第２の無線アクセス技術を介した前記１つまたは複数の中断されたデータフローの前記送信を再開することとをさらに備える、Ｃ４に記載の方法。
[Ｃ６]  前記無線リンク障害からの回復を検出することと、
前記回復を検出したことに応答して、前記第１の無線アクセス技術を介した前記１つまたは複数の中断されたデータフローの前記送信を再開することとをさらに備える、Ｃ４に記載の方法。
[Ｃ７]  前記無線リンク障害からの回復を検出することと、
前記第１の無線アクセス技術から前記回復に関連する構成を受信することと、
前記構成に基づいて、前記第２の無線アクセス技術を介した前記１つまたは複数の中断されたデータフローの前記送信を再開することとをさらに備える、Ｃ４に記載の方法。
[Ｃ８]  前記第２の無線技術に関係する情報を前記第１の無線アクセス技術に送信することをさらに備え、
ここにおいて、前記第１の無線アクセス技術から前記構成を受信することが、前記第２の無線技術に関係する前記情報を送信することに応答する、Ｃ７に記載の方法。
[Ｃ９]  前記情報が測定報告を備える、Ｃ８に記載の方法。
[Ｃ１０]  前記情報は複数の指示を備え、前記指示の各々は、前記ユーザ機器が前記無線リンク障害中に前記第２の無線アクセス技術を介した前記少なくとも１つのデータフローの特定の１つのための前記送信を中断したかどうかを示し、ここにおいて、前記複数の指示の各々が、前記第２の無線アクセス技術を介した前記少なくとも１つのデータフローの特定の１つに関連する、Ｃ８に記載の方法。
[Ｃ１１]  前記情報は複数の指示を備え、前記指示の各々は、前記ユーザ機器が前記第１の無線アクセス技術または前記第２の無線アクセス技術を介した前記少なくとも１つのデータフローの特定の１つのための前記送信を再開すべきかどうかを示し、ここにおいて、前記複数の指示の各々が、前記第１の無線アクセス技術を介した前記少なくとも１つのデータフローの特定の１つに関連する、Ｃ８に記載の方法。
[Ｃ１２]  前記決定することが、前記第２の無線アクセス技術を介した前記少なくとも１つのデータフローの前記送信を維持することを決定することを備える、Ｃ１に記載の方法。
[Ｃ１３]  前記決定することが、前記ユーザ機器において受信されたネットワーク構成、アクセスネットワーク発見および選択機能（ＡＮＤＳＦ）ポリシー、サービス品質（ＱｏＳ）パラメータ、または前記ユーザ機器の実装形態のうちの少なくとも１つに基づく、Ｃ１に記載の方法。
[Ｃ１４]  前記無線リンク障害中に前記第２の無線アクセス技術を介して制御シグナリングを送信することをさらに備える、Ｃ１に記載の方法。
[Ｃ１５]  前記制御シグナリングが無線リソース制御シグナリングまたは非アクセス層シグナリングの一方または両方を備える、Ｃ１４に記載の方法。
[Ｃ１６]  前記無線リンク障害中に前記第２の無線アクセス技術を介して制御シグナリングを受信することをさらに備える、Ｃ１に記載の方法。
[Ｃ１７]  前記制御シグナリングが無線リソース制御シグナリングまたは非アクセス層シグナリングの一方または両方を備える、Ｃ１６に記載の方法。
[Ｃ１８]  コンピュータ実行可能コードを記憶する非一時的コンピュータ可読媒体であって、
少なくとも１つのコンピュータに、第１の無線アクセス技術および第２の無線アクセス技術を用いて通信を確立させるためのコードと、
前記少なくとも１つのコンピュータに、前記第１の無線アクセス技術を介して少なくとも１つのデータフローを、および前記第２の無線アクセス技術を介して少なくとも１つのデータフローを送信させるためのコードと、
前記少なくとも１つのコンピュータに、ユーザ機器と前記第１の無線アクセス技術との間の無線リンク障害を検出させるためのコードと、
前記少なくとも１つのコンピュータに、前記無線リンク障害が検出されたとき、前記第２の無線アクセス技術を介した前記少なくとも１つのデータフローを維持すべきかどうかを決定させるためのコードとを備える、非一時的コンピュータ可読媒体。
[Ｃ１９]  無線リンク障害回復を管理するための装置であって、
第１の無線アクセス技術および第２の無線アクセス技術を用いて通信を確立するための手段と、
前記第１の無線アクセス技術を介して少なくとも１つのデータフローを、および前記第２の無線アクセス技術を介して少なくとも１つのデータフローを送信するための手段と、
ユーザ機器と前記第１の無線アクセス技術との間の無線リンク障害を検出するための手段と、
前記無線リンク障害が検出されたとき、前記第２の無線アクセス技術を介した前記少なくとも１つのデータフローを維持すべきかどうかを決定するための手段とを備える、装置。
[Ｃ２０]  無線リンク障害回復を管理するための装置であって、
第１の無線アクセス技術および第２の無線アクセス技術を用いて通信を確立するように構成されたコントローラと、
前記第１の無線アクセス技術を介して少なくとも１つのデータフローを送信するように構成されたワイヤレスワイドエリアネットワーク（ＷＷＡＮ）無線機と、
前記第２の無線アクセス技術を介して少なくとも１つのデータフローを送信するように構成されたワイヤレスローカルエリアネットワーク（ＷＬＡＮ）無線機と、
ユーザ機器と前記第１の無線アクセス技術との間の無線リンク障害を検出するように構成された無線リンク障害（ＲＬＦ）構成要素と、
前記無線リンク障害が検出されたとき、前記第２の無線アクセス技術を介した前記少なくとも１つのデータフローを維持すべきかどうかを決定するように構成されたＲＬＦデータフロー決定構成要素とを備える、装置。
[Ｃ２１]  無線リンク障害回復を管理するための方法であって、
第１の無線アクセス技術を介してユーザ機器との第１の通信接続を確立することと、
第２の無線アクセス技術を介して前記ユーザ機器との第２の通信接続が確立されるという指示を受信することと、ここにおいて、前記第２の通信接続が少なくとも１つのデータフローを送信する、
前記第１の通信接続の無線リンク障害の後に、前記ユーザ機器から前記第１の通信接続の無線リンク障害回復指示を受信することと、
無線リンク障害中に前記第２の無線アクセス技術を介して前記第２の通信接続上で前記少なくとも１つのデータフローが維持され得るかどうかを決定することと、
前記第２の無線アクセス技術を介して前記第２の通信接続上で、データフローごとに、前記少なくとも１つのデータフローの前記送信を維持すべきかどうかを前記ユーザ機器に示すこととを備える、方法。
[Ｃ２２]  前記確立することが、前記ユーザ機器がアイドル状態から接続状態に移動することにより、または前記ユーザ機器がハンドオーバされることにより生じる、Ｃ２１に記載の方法。
[Ｃ２３]  前記示すことが、前記ユーザ機器に構成メッセージまたはデータメッセージのうちの少なくとも１つを送ることを備える、Ｃ２１に記載の方法。
[Ｃ２４]  前記構成メッセージが無線リソース制御メッセージである、Ｃ２３に記載の方法。
[Ｃ２５]  前記送ることが、前記第２の無線アクセス技術を介して前記第２の通信接続上で前記ユーザ機器に構成メッセージまたはデータメッセージのうちの少なくとも１つを送ることを備える、Ｃ２３に記載の方法。
[Ｃ２６]  コンピュータ実行可能コードを記憶する非一時的コンピュータ可読媒体であって、
少なくとも１つのコンピュータに、第１の無線アクセス技術を介してユーザ機器との第１の通信接続を確立させるためのコードと、
前記少なくとも１つのコンピュータに、第２の無線アクセス技術を介して前記ユーザ機器との第２の通信接続が確立されるという指示を受信させるためのコードと、ここにおいて、前記第２の通信接続が少なくとも１つのデータフローを送信する、
前記少なくとも１つのコンピュータに、前記第１の通信接続の無線リンク障害の後に、前記ユーザ機器から前記第１の通信接続の無線リンク障害回復指示を受信させるためのコードと、
前記少なくとも１つのコンピュータに、無線リンク障害中に前記第２の無線アクセス技術を介して前記第２の通信接続上で前記少なくとも１つのデータフローが維持され得るかどうかを決定させるためのコードと、
前記少なくとも１つのコンピュータに、前記第２の無線アクセス技術を介して前記第２の通信接続上で、データフローごとに、前記少なくとも１つのデータフローの前記送信を維持すべきかどうかを前記ユーザ機器に示させるためのコードとを備える、非一時的コンピュータ可読媒体。
[Ｃ２７]  無線リンク障害回復を管理するための装置であって、
第１の無線アクセス技術を介してユーザ機器との第１の通信接続を確立するための手段と、
第２の無線アクセス技術を介して前記ユーザ機器との第２の通信接続が確立されるという指示を受信するための手段と、ここにおいて、前記第２の通信接続が少なくとも１つのデータフローを送信する、
前記第１の通信接続の無線リンク障害の後に、前記ユーザ機器から前記第１の通信接続の無線リンク障害回復指示を受信するための手段と、
無線リンク障害中に前記第２の無線アクセス技術を介して前記第２の通信接続上で前記少なくとも１つのデータフローが維持され得るかどうかを決定するための手段と、
前記第２の無線アクセス技術を介して前記第２の通信接続上で、データフローごとに、前記少なくとも１つのデータフローの前記送信を維持すべきかどうかを前記ユーザ機器に示すための手段とを備える、装置。
[Ｃ２８]  無線リンク障害回復を管理するための装置であって、
少なくとも１つのメモリと、
前記少なくとも１つのメモリと通信しており、
第１の無線アクセス技術を介してユーザ機器との第１の通信接続を確立することと、
第２の無線アクセス技術を介して前記ユーザ機器との第２の通信接続が確立されるという指示を受信することと、ここにおいて、前記第２の通信接続が少なくとも１つのデータフローを送信する、
前記第１の通信接続の無線リンク障害の後に、前記ユーザ機器から前記第１の通信接続の無線リンク障害回復指示を受信することと、
無線リンク障害中に前記第２の無線アクセス技術を介して前記第２の通信接続上で前記少なくとも１つのデータフローが維持され得るかどうかを決定することと、
前記第２の無線アクセス技術を介して前記第２の通信接続上で、データフローごとに、前記少なくとも１つのデータフローの前記送信を維持すべきかどうかを前記ユーザ機器に示すことと
を行うように構成された無線リンク障害（ＲＬＦ）データフロー構成要素とを備える、装置。
[Ｃ２９]  無線リンク障害回復を管理するための方法であって、
ユーザ機器から、第１の通信接続についての無線リンク障害回復指示を受信することと、
第２の無線アクセス技術を介して前記ユーザ機器との第２の通信接続が確立されるという指示を受信することと、ここにおいて、前記第２の通信接続が少なくとも１つのデータフローに関連する、
前記無線リンク障害回復の後に前記第２の無線アクセス技術を介して前記第２の通信接続上で前記少なくとも１つのデータフローが再開され得るかどうかを決定することと、
前記第２の無線アクセス技術を介して前記第２の通信接続上で前記少なくとも１つのデータフローの前記送信を再開すべきかどうかを前記ユーザ機器に示すこととを備える、方法。
[Ｃ３０]  前記第２の無線アクセス技術に関係する少なくとも１つの測定報告を受信することと、
前記少なくとも１つの測定報告に少なくとも部分的に基づいて、前記ユーザ機器が前記第２の無線アクセス技術を介した前記少なくとも１つのデータフローの前記送信を再開することができるかどうかを決定することとをさらに備える、Ｃ２９に記載の方法。
[Ｃ３１]  複数の指示を受信することと、前記指示の各々は、前記ユーザ機器が前記無線リンク障害中に前記第２の無線アクセス技術を介した前記少なくとも１つのデータフローの特定の１つの前記送信を中断したかどうかを示し、ここにおいて、前記複数の指示の各々が、前記少なくとも１つのデータフローの特定の１つに関連する、
前記ユーザ機器から、前記第２の無線アクセス技術に関係する少なくとも１つの測定報告を受信することと、
前記第１の通信接続が再確立されたことを検出することと、
前記少なくとも１つの測定報告に基づいて、前記検出することに応答して、前記第２の無線アクセス技術を介した送信を再開すべきかどうかを決定することとをさらに備える、Ｃ２９に記載の方法。
[Ｃ３２]  前記少なくとも１つの測定報告が無線リソース制御（ＲＲＣ）接続再確立メッセージの一部として受信される、Ｃ３１に記載の方法。
[Ｃ３３]  前記第２の無線アクセス技術を介した前記少なくとも１つのデータフローの前記送信が前記無線リンク障害中に維持されたというさらなる指示を受信することと、
前記第１の通信接続が再確立されたことを検出することと、
前記検出することに応答して、前記無線リンク障害中に前記第２の無線アクセス技術を介して維持された前記少なくとも１つのデータフローを前記第１の無線アクセス技術を介して送信すべきかどうかを決定することとをさらに備える、Ｃ３２に記載の方法。
[Ｃ３４]  前記指示が、前記第２の無線アクセス技術に関係する測定報告中に含まれる、Ｃ３３に記載の方法。
[Ｃ３５]  前記指示が無線リソース制御（ＲＲＣ）接続再確立メッセージの一部として受信される、Ｃ３３に記載の方法。
[Ｃ３６]  コンピュータ実行可能コードを記憶する非一時的コンピュータ可読媒体であって、
少なくとも１つのコンピュータに、ユーザ機器から、第１の通信接続についての無線リンク障害回復指示を受信させるためのコードと、
前記少なくとも１つのコンピュータに、第２の無線アクセス技術を介して前記ユーザ機器との第２の通信接続が確立されるという指示を受信させるためのコードと、ここにおいて、前記第２の通信接続が少なくとも１つのデータフローに関連する、
前記少なくとも１つのコンピュータに、前記無線リンク障害回復の後に前記第２の無線アクセス技術を介して前記第２の通信接続上で前記少なくとも１つのデータフローが再開され得るかどうかを決定させるためのコードと、
前記少なくとも１つのコンピュータに、前記第２の無線アクセス技術を介して前記第２の通信接続上で前記少なくとも１つのデータフローの前記送信を再開すべきかどうかを前記ユーザ機器に示させるためのコードとを備える、非一時的コンピュータ可読媒体。
[Ｃ３７]  無線リンク障害回復を管理するための装置であって、
ユーザ機器から、第１の通信接続についての無線リンク障害回復指示を受信するための手段と、
第２の無線アクセス技術を介して前記ユーザ機器との第２の通信接続が確立されるという指示を受信するための手段と、ここにおいて、前記第２の通信接続が少なくとも１つのデータフローに関連する、
前記無線リンク障害回復の後に前記第２の無線アクセス技術を介して前記第２の通信接続上で前記少なくとも１つのデータフローが再開され得るかどうかを決定するための手段と、
前記第２の無線アクセス技術を介して前記第２の通信接続上で前記少なくとも１つのデータフローの前記送信を再開すべきかどうかを前記ユーザ機器に示すための手段とを備える、装置。
[Ｃ３８]  無線リンク障害回復を管理するための装置であって、
少なくとも１つのメモリと、
前記少なくとも１つのメモリと通信しており、
ユーザ機器から、第１の通信接続についての無線リンク障害回復指示を受信することと、
第２の無線アクセス技術を介して前記ユーザ機器との第２の通信接続が確立されるという指示を受信することと、ここにおいて、前記第２の通信接続が少なくとも１つのデータフローに関連する、
前記無線リンク障害回復の後に前記第２の無線アクセス技術を介して前記第２の通信接続上で前記少なくとも１つのデータフローが再開され得るかどうかを決定することと、
前記第２の無線アクセス技術を介して前記第２の通信接続上で前記少なくとも１つのデータフローの前記送信を再開すべきかどうかを前記ユーザ機器に示すことと
を行うように構成された無線リンク障害（ＲＬＦ）データフロー構成要素とを備える、装置。
【図１】
0006522612.tif 000003
【図２】
0006522612.tif 000004
【図３】
0006522612.tif 000005
【図４】
0006522612.tif 000006
【図５Ａ】
0006522612.tif 000007
【図５Ｂ】
0006522612.tif 000008
【図６】
0006522612.tif 000009
【図７】
0006522612.tif 000010
【図８】
0006522612.tif 000011
【図９】
0006522612.tif 000012
【図１０】
0006522612.tif 000013
【図１１】
0006522612.tif 000014
【図１２】
0006522612.tif 000015
【図１３】
0006522612.tif 000016
【図１４】
0006522612.tif 000017
【図１５】
0006522612.tif 000018
【図１６】
0006522612.tif 000019